(57)【特許請求の範囲】
【請求項１】
固体撮像素子で光電変換された映像信号と黒レベル信号を検出し、該固体撮像素子からの黒レベル信号を基準として該映像信号を信号処理すると共に、該検出映像信号と黒レベル信号をリセットパルスによりリセットする固体撮像装置において、
信号読出し期間の一部期間で、黒レベルと略等しい擬似黒レベル信号を該固体撮像素子に生成させるように該リセットパルスの立ち上がりおよび立ち下がりタイミングの少なくとも何れかを変化させる撮像素子駆動手段と、
該擬似黒レベル信号を基準として、該撮像素子駆動手段を介して該固体撮像素子の露光量を制御させる露光制御部とを有し、
該リセットパルスの立ち上がりおよび立ち下がりタイミングの少なくとも何れかを変化させることは、該リセットパルスを一定レベルに保持することによりなされる固体撮像装置。
【請求項２】
前記黒レベル信号をクランプする第１クランプ手段と、
前記擬似黒レベル信号をクランプする第２クランプ手段と、
該第１クランプ手段および該第２クランプ手段の何れかにてクランプされた信号のレベルを基準として、該固体撮像素子からの映像信号に対して映像信号処理を行う映像信号処理部とをさらに有する請求項１に記載の固体撮像装置。
【請求項３】
複数の光電変換素子が水平方向および垂直方向に配列され、各光電変換素子に被写体画像光が入射されて電気信号を出力する有効画素部、および該有効画素部の周辺に複数の光電変換素子が垂直方向に配列され、各光電変換素子には被写体画像光が遮光されて入射されず、黒レベルに対応する電気信号を出力するオプティカルブラック部を有する固体撮像素子と、
該固体撮像素子のオプティカルブラック部から出力される黒レベル信号をクランプする第１クランプ手段と、
該固体撮像素子の水平期間の一部期間で、該固体撮像素子に黒レベルと略等しいレベルの擬似黒レベル信号を生成させるようにリセットパルスの立ち上がりおよび立ち下がりタイミングの少なくとも何れかを変化させる撮像素子駆動手段と、
生成された擬似黒レベル信号をクランプする第２クランプ手段と、
該第２クランプ手段にてクランプされた擬似黒レベル信号のレベルを基準として、該撮像素子駆動手段を介して該固体撮像素子の露光量を制御させる露光制御部と、
該第１クランプ手段および該第２クランプ手段の何れかにてクランプされた信号のレベルを基準として、該固体撮像素子の有効画素部から出力される映像信号に対して映像信号処理を行う映像信号処理部とを有し、
該リセットパルスの立ち上がりおよび立ち下がりタイミングの少なくとも何れかを変化させることは、該リセットパルスを一定レベルに保持することによりなされる固体撮像装置。
【請求項４】
前記露光制御部からの制御情報に基づいて、前記固体撮像素子への入射光量が所定量以上であるか否かを検出する光量検出手段をさらに有し、該光量検出手段による検出結果に基づいて、前記撮像素子駆動手段による撮像駆動制御および前記露光制御部による露光量制御の少なくとも何れかが行われる請求項１〜３の何れかに記載の固体撮像装置。
【請求項５】
前記光量検出手段によって、前記固体撮像素子への入射光量が所定量未満であることが検出された場合に、前記第１クランプ手段からの出力が前記映像信号処理部に入力され、該固体撮像素子への入射光量が所定量以上であることが検出された場合に、前記２クランプ手段からの出力が該映像信号処理部に入力されるように、該第１クランプ手段と第２クランプ手段との各出力を切り換える出力切り換え手段をさらに有する請求項４記載の固体撮像装置。
【請求項６】
前記光量検出手段によって、前記固体撮像素子への入射光量が所定量以上であることが検出された場合に、前記リセットパルスの立ち上がりおよび立ち下がりタイミングの少なくとも何れかを前記一部期間とは別の期間で変化させるパルス切り換え手段とをさらに有する請求項４に記載の固体撮像装置。
【請求項７】
前記黒レベル信号と擬似黒レベル信号とのレベル差を検出するレベル差検出手段をさらに有し、該レベル差検出手段による検出結果に基づいて、前記撮像素子駆動手段による撮像駆動制御および前記露光制御部による露光量制御の少なくとも何れかが行われる請求項１〜４の何れかに記載の固体撮像装置。
【請求項８】
前記レベル差検出手段によって前記レベル差が所定量未満であると検出された場合に前記黒レベル信号が前記映像信号処理部に入力され、前記レベル差が所定量以上であると検出された場合に前記擬似黒レベル信号が該映像信号処理部に入力されるように、該黒レベル信号と擬似黒レベル信号とを切り換える出力切り換え手段をさらに有する請求項７に記載の固体撮像装置。
【請求項９】
前記レベル差検出手段による前記レベル差と前記光量検出手段による入射光量との各検出結果が共に所定量未満である場合に前記黒レベル信号が該映像信号処理部に入力され、該各検出結果のうち少なくとも何れかの検出結果が所定量以上である場合に前記擬似黒レベル信号が該映像信号処理部に入力されるように、該黒レベル信号と擬似黒レベル信号とを切り換える出力切り換え手段をさらに有する請求項７に記載の固体撮像装置。
【請求項１０】
前記レベル差検出手段によって、前記レベル差が所定量以上であることが検出された場合に前記リセットパルスの立ち上がりおよび立ち下がりタイミングの少なくとも何れかを前記一部期間とは別の期間で変化させるパルス切り換え手段とをさらに有する請求項７に記載の固体撮像装置。
【請求項１１】
前記レベル差検出手段による前記レベル差と前記光量検出手段による入射光量との各検出結果のうち少なくとも何れかの検出結果が所定量以上である場合に、前記一部期間とは別の期間で前記リセットパルスの立ち上がりおよび立ち下がりタイミングの少なくとも何れかを変化させるパルス切り換え手段とをさらに有する請求項７に記載の固体撮像装置。
【請求項１２】
前記一部期間とは別の期間で前記リセットパルスの立ち上がりおよび立ち下がりタイミングの少なくとも何れかを変化させることは、前記リセットパルスの信号レベルの反転、該リセットパルスの一定レベルの保持および該リセットパルスの位相変化の何れかにより為される請求項６、１０、１１の何れかに記載の固体撮像装置。
【請求項１３】
前記一部期間またはこれとは別の一部期間において、前記リセットパルスは、前記固体撮像素子において電荷検出部のポテンシャルがリセットドレインと等しいポテンシャルにリセットされるパルス電圧に設定されている請求項５〜１２の何れかに記載の固体撮像装置。
【請求項１４】
前記一部期間およびこれとは別の一部期間は、前記固体撮像素子において前記オプティカルブラック部から信号が出力される期間に設定されている請求項１〜１３の何れかに記載の固体撮像装置。
【請求項１５】
前記一部期間は、前記これとは別の一部期間の後に設定される請求項１４に記載の固体撮像装置。
【請求項１６】
請求項１〜１５の何れかの固体撮像装置を用いて画像撮影可能とする電子情報機器。
【発明の詳細な説明】
【０００１】
【発明の属する技術分野】
本発明は、固体撮像装置およびそれを用いた例えば監視カメラ、ドアホンカメラ、車載カメラ、テレビジョン電話用カメラおよび携帯電話用カメラ等の電子情報機器に関する。
【０００２】
【従来の技術】
従来から、固体撮像素子（ＣｈａｒｇｅＣｏｕｐｌｅｄ Ｄｅｖｉｃｅ：以下、ＣＣＤと略称する）を内蔵したＣＣＤカメラ用の固体撮像装置等、様々な固体撮像装置が提案されている。図１５は、従来の固体撮像装置の概略構成を示すブロック図である。この固体撮像装置は、図１５に示すように、レンズ５１を介して入射される被写体画像を撮像するＩＴ（ＩｎｔｅｒｌｉｎｅＴｒａｎｓｆｅｒ）型ＣＣＤ５２を有している。
【０００３】
図１６（ａ）および図１６（ｂ）はそれぞれ、ＣＣＤ５２の１チップの基本的な構成を示す模式図である。
【０００４】
図１６（ａ）および図１６（ｂ）において、このＣＣＤ５２は、基板７１上に、被写体画像に対応する光（被写体画像光）が入射される有効画素部７２が設けられている。この有効画素部７２には、光電変換素子である複数のフォトダイオード７４が垂直方向および水平方向に２次元的に配列されており、被写体画像に対応する電気信号が出力される。また、有効画素部７２の一方の側方には、ＯＢ（オプティカルブラック）部７３が設けられている。ＯＢ部７３には、光電変換素子である複数のフォトダイオード７４が垂直方向および水平方向に２次元的に配列されており、アルミニウム等の遮光部材７３ａによって覆われている。これによって、被写体画像に対応する光が遮光されて、ＯＢ部７３のフォトダイオード７４には光が入射されず、ＯＢ部７３のフォトダイオード７４からは光学的な黒の基準として用いられる電気信号（ＯＢレベルの信号）が出力される。
【０００５】
また、ＣＣＤ５２には、フォトダイオード７４の各列に沿って設けられた垂直ＣＣＤシフトレジスタ７５と、垂直ＣＣＤシフトレジスタ７５からの電荷を電荷検出部（出力回路）７７に転送する水平ＣＣＤシフトレジスタ７６とが設けられている。フォトダイオード７４によって光電変換され、対応する垂直ＣＣＤシフトレジスタ７５に移動された電荷は、垂直転送クロックφＶ１〜φＶ４に同期して、水平ＣＣＤシフトレジスタ７６の方向に順次転送される。水平ＣＣＤシフトレジスタ７６に転送された電荷は、水平転送クロックφＨ１、φＨ２に同期して、電荷検出部７７に順次転送され、電気信号として外部に出力される。
【０００６】
ＣＣＤ５２から出力される信号は、図１５に示すようにＣＤＳ（Ｃｏｒｅｌａｔｅｄ  Ｄｏｕｂｌｅ  Ｓａｍｐｌｉｎｇ）回路５３に入力される。１水平期間におけるＣＣＤ５２からの出力信号がＣＤＳ回路５３に入力されると、信号に含まれるクロック成分がＣＤＳ回路５３にて除去され、ノイズが軽減される。
【０００７】
ＣＤＳ回路５３から出力される信号は、ＯＢクランプ回路５４に入力される。ＣＤＳ回路５３によってノイズが軽減されたＣＣＤ５２からの出力信号のうち、ＣＣＤ５２のＯＢ部７３からの出力信号（ＯＢ信号）は、ＯＢクランプ回路５４にてクランプされて直流レベルに固定され、これによって、光学的な黒の基準として用いられるＯＢレベルの信号が生成される。また、ＣＣＤ５２の有効画素部７２からの出力信号は、ＯＢ部７３の信号レベルを基準にクランプされたレベルで出力される。
【０００８】
ＯＢクランプ回路５４から出力される信号は、映像信号処理部５５に入力される。映像信号処理部５５では、有効画素部７２からの出力信号に対して、ＯＢクランプ回路５４でクランプされた信号レベル（ＯＢレベル）を基準として、各種処理が行われる。映像信号処理部５５には、ＡＧＣ（ＡｕｔｏｍａｔｉｃＧａｉｎ Ｃｏｎｔｒｏｌ）回路５６が設けられており、ＡＧＣ回路５６では、ＯＢクランプ回路５４から入力される信号の強弱に応じて、利得（ゲイン）が制御される。
【０００９】
ＡＧＣ回路５６からの出力信号は補正処理回路５７に入力され、補正処理回路５７からはガンマ補正された信号が出力される。補正処理回路５７からの出力信号はペデスタルクランプ回路５８に入力され、ペデスタルクランプ回路５８では入力された信号がペデスタルレベルにクランプされる。ペデスタルクランプ回路５８からの出力信号は駆動回路５９に入力され、駆動回路５９からは、テレビモニター等の表示装置に適応した映像信号が、ビデオ信号として出力される。
【００１０】
また、ＯＢクランプ回路５４から出力される信号は、検波回路６０に入力され、検波回路６０によって検波される。検波回路６０から出力される信号に基づいて、露光制御部６１から、ＣＣＤ５２のアイリスおよび露光を制御するための信号がＣＣＤ駆動回路６２に出力される。ＣＣＤ駆動回路６２では、露光制御部６１から出力される信号に基づいて、ＣＣＤ５２を駆動する。露光制御部６１およびＣＣＤ駆動回路６２では、ＯＢクランプ回路５４にてクランプされた信号レベル（ＯＢレベル）を基準として、それぞれの動作が行われる。また、ＣＣＤ５２の露光は、例えばＣＣＤ５２に備わった電子シャッター機能等を用いて制御される。
【００１１】
ところで、近年では、固体撮像装置の用途が広がっており、上述したような固体撮像装置がドアホン、車載用カメラ等にも搭載されるようになっている。このようなカメラは、しばしば、屋外を撮影するために用いられるため、太陽光等の過大光がＣＣＤ５２に入射されることがある。
【００１２】
図１７（ａ）および図１７（ｂ）はそれぞれ、通常動作時および過大光入射時のそれぞれについて、ＣＣＤ５２からの出力信号、ＣＤＳ５３からの出力信号、駆動回路５９からの映像信号の各波形を示すグラフである。
【００１３】
図１７（ａ）および図１７（ｂ）に示すように、１水平期間には、有効画素部７２から被写体画像光に対応する信号が出力される有効映像信号期間と、ＯＢ部７３から黒レベルに対応するＯＢ信号が出力されるＯＢ期間とが設けられている。また、水平期間に続く水平帰線期間では、垂直転送部から水平転送部に電荷を転送させている。リセットパルスＦＲは、水平転送部から転送されて、検出部で電荷電圧変換された電荷をリセットドレインＲＤに排出させるためのパルスである。
【００１４】
図１７（ａ）に示す通常動作時において、有効映像信号期間には、有効画素部７２からの被写体画像に対応する信号（ＣＣＤ出力）がＣＣＤ５２から出力されてＣＤＳ回路５３に入力され、ＣＤＳ回路５３によってクロック成分が除去された信号が出力される。また、ＯＢ期間には、ＯＢ部７３からの黒レベルに対応する信号（ＯＢ信号）がＣＣＤ５２から出力されてＣＤＳ回路５３に入力され、ＣＤＳ回路５３によってクロック成分が除去された信号（ＣＤＳ出力）が出力される。
【００１５】
ＣＤＳ回路５３から出力される信号は、ＯＢクランプ回路５４を介して映像信号処理部５５に入力される。映像信号処理部５５では、有効画素部７２から出力された信号に対して、ＯＢ部７３から出力されたＯＢ信号のレベル（ＯＢレベル）を基準として各種処理が行われ、映像信号が出力（映像出力）される。
【００１６】
これに対して、図１７（ｂ）に示すように、過大光がＣＣＤ５２に入射されると、有効画素部７２のフォトダイオードから電荷が出力される有効映像信号期間の途中でＣＣＤ５２から出力される信号が急激に増大し、ＯＢ部７３のフォトダイオードから電荷が出力されるＯＢ期間には、ＯＢ部７３のフォトダイオードから出力される電荷量を示すＯＢレベルが、図１７（ａ）に示す通常動作時に出力されるＯＢレベルよりも高いレベルに変動する。ＣＤＳ回路５３によってクロック成分が除去された信号が生成され、映像信号処理部５５では、有効画素部７２からの出力信号に対して、ＯＢ部７３からの高レベルの信号を基準として各種処理が行われる。その結果、明るい被写体を撮像した場合であっても、暗い画面が表示されるという問題がある。ＣＣＤ５２に過大光が入射された場合に、このようにＯＢレベルが変動する理由は以下の通りである。
【００１７】
過大光がＣＣＤ５２に入射すると、有効画素部７２の受光部（フォトダイオード７４）において発生した電荷が、対応する垂直ＣＣＤシフトレジスタ７５の容量を超えて、水平ＣＣＤシフトレジスタ７６の走査期間中に、水平ＣＣＤシフトレジスタ７６に流れ込む。さらに、水平ＣＣＤシフトレジスタ７６の容量を超えて、本来は光電変換された電荷はない領域であるＯＢ部７３にも溢れ出す。その結果、ＯＢ部７３から出力されるＯＢレベルが通常動作時よりも高くなり、光学的な黒の基準とは異なる明るいレベルになるため、暗い部分では階調差がなくなって、全体的に暗い沈んだ画面表示となる。
【００１８】
また、映像信号処理部５５では、通常動作時よりも高レベルに変動したＯＢレベルを基準として、有効画素部７２からの信号に対して処理が行われるため、映像信号の出力は実際よりも低レベルとなる。このため、ＣＣＤ５２への露光時間を延ばすように、露光制御が行われる。その結果、ＣＣＤ５２に入射される光量がさらに多くなり、さらにＯＢ部７３に溢れ出した電荷が多くなって表示状態が悪化する。
【００１９】
このように、上記従来の固体撮像装置では、光量が大きい場合に明るい被写体を撮像しても、画面上では黒く見えるため、所定の光量よりも光量が大きい光源を用いた場合には、被写体を認識することができないという問題がある。
【００２０】
この問題を解決するために、例えば特許文献１には、固体撮像素子の水平期間の一部で水平転送パルスの位相を変化させて黒レベルと略等しいレベルに対応する信号を生成させ、生成された信号を基準として、ＣＣＤ５２の露光量を制御する固体撮像装置が開示されている。この固体撮像装置によれば、過大光がＣＣＤ５２に入射された場合でも、黒レベルと略等しいレベルに対応する信号を基準として、適正な露光制御を行うことができる。
【００２１】
【特許文献１】
特開平１０−２１０３７０号公報
【００２２】
【発明が解決しようとする課題】
しかしながら、水平転送パルスは、水平転送クロックφＨ１およびφＨ２に同期して、ＣＣＤシフトレジスタ７６の電荷を電荷検出部７７に順次転送させるために用いられるものである。よって、上記特許文献１に開示されている固体撮像装置では、黒レベルと略等しいレベルに対応する信号を生成させるために、水平転送クロックφＨ１およびφＨ２の両パルスの位相を変化させる必要があり、制御が複雑になるという問題がある。
【００２３】
本発明は、このような従来技術の課題を解決するためになされたものであり、簡単な制御によって、過大光がＣＣＤに入射した場合でも、適正な露光制御を行って、良好な画面表示を得ることができる固体撮像装置およびこれを用いた電子情報機器を提供することを目的とする。
【００２４】
【課題を解決するための手段】
本発明の固体撮像装置は、固体撮像素子で光電変換された映像信号と黒レベル信号を検出し、該固体撮像素子からの黒レベル信号を基準として該映像信号を信号処理すると共に、該検出映像信号と黒レベル信号をリセットパルスによりリセットする固体撮像装置において、信号読出し期間の一部期間で、黒レベルと略等しい擬似黒レベル信号を該固体撮像素子に生成させるように該リセットパルスの立ち上がりおよび立ち下がりタイミングの少なくとも何れかを変化させる撮像素子駆動手段と、該擬似黒レベル信号を基準として、該撮像素子駆動手段を介して該固体撮像素子の露光量を制御させる露光制御部とを有し、該リセットパルスの立ち上がりおよび立ち下がりタイミングの少なくとも何れかを変化させることは、該リセットパルスを一定レベルに保持することによりなされ、そのことにより上記目的が達成される。また、好ましくは、本発明の固体撮像装置において、黒レベル信号をクランプする第１クランプ手段と、前記擬似黒レベル信号をクランプする第２クランプ手段と、該第１クランプ手段および該第２クランプ手段の何れかにてクランプされた信号のレベルを基準として、該固体撮像素子からの映像信号に対して映像信号処理を行う映像信号処理部とをさらに有する。
【００２５】
次に、本発明の固体撮像装置は、複数の光電変換素子が水平方向および垂直方向に配列され、各光電変換素子に被写体画像光が入射されて電気信号を出力する有効画素部、および該有効画素部の周辺に複数の光電変換素子が垂直方向に配列され、各光電変換素子には被写体画像光が遮光されて入射されず、黒レベルに対応する電気信号を出力するオプティカルブラック部を有する固体撮像素子と、該固体撮像素子のオプティカルブラック部から出力される黒レベル信号をクランプする第１クランプ手段と、該固体撮像素子の水平期間の一部期間で、該固体撮像素子に黒レベルと略等しいレベルの擬似黒レベル信号を生成させるようにリセットパルスの立ち上がりおよび立ち下がりタイミングの少なくとも何れかを変化させる撮像素子駆動手段と、生成された擬似黒レベル信号をクランプする第２クランプ手段と、該第２クランプ手段にてクランプされた擬似黒レベル信号のレベルを基準として、該撮像素子駆動手段を介して該固体撮像素子の露光量を制御させる露光制御部と、該第１クランプ手段および該第２クランプ手段の何れかにてクランプされた信号のレベルを基準として、該固体撮像素子の有効画素部から出力される映像信号に対して映像信号処理を行う映像信号処理部とを有し、該リセットパルスの立ち上がりおよび立ち下がりタイミングの少なくとも何れかを変化させることは、該リセットパルスを一定レベルに保持することによりなされ、そのことにより上記目的が達成される。
【００２６】
通常、太陽光等の過剰光が固体撮像素子に入射されると、固体撮像素子の有効画素部で発生した電荷が、本来は光電変化によって発生する電荷はない領域であるオプティカルブラック部（ＯＢ部）にも溢れ出し、ＯＢ部で生成されるＯＢレベルが通常動作時から変動する。その結果、ＯＢレベルを光学的な黒レベルの基準として用いることができなくなる。
【００２７】
上記構成によれば、固体撮像素子の水平期間の一部期間でリセットパルスの立ち上がりおよび立ち下がりタイミングの少なくとも何れかを変化（波形反転または位相変化を含む）させるため、固体撮像素子に太陽光等の過大光が入射されてＯＢ部に電荷が溢れ出した場合でも、ＯＢ部に溢れ出した電荷が一旦排除されて、本来の黒レベル（ＯＢレベル）と略等しいレベルに対応した信号（擬似ＯＢ信号）が擬似的に生成される。この擬似ＯＢ信号は、第２クランプ手段によってクランプされる。露光制御部では、この第２クランプ手段にてクランプされた、本来の黒レベルと略等しい擬似ＯＢレベルの信号を基準として、固体撮像素子の露光が制御される。
【００２８】
従って、一般的な固体撮像装置に第２クランプ手段を追加するという比較的簡易な構成と、リセットパルスの立ち上がりおよび立ち下がりタイミングの少なくとも何れかを変化させるという比較的容易な制御によって、過大光が固体撮像素子に入射されて基準となる黒レベルが変動した場合でも、そのような変動の影響を受けずに、本来の黒レベル（ＯＢレベル）と略等しい擬似的な黒レベル（擬似ＯＢレベル）を基準として適正な露光制御を行うことができ、良好な画面表示を行うことができる。
【００２９】
また、第１クランプ手段によって、固体撮像素子のＯＢ部から出力される信号（ＯＢ信号）がクランプされる。映像信号処理部では、この第１クランプ手段にてクランプされた信号レベル（ＯＢレベル）を基準として、固体撮像素子の有効画素部から出力される信号が処理される。このとき、以上のような露光制御により、固体撮像素子への入射光量が制御されているので、本来の黒レベル（ＯＢレベル）に基づいて処理が行われる映像信号処理についても、適正に行うことができる。
【００３０】
好ましくは、前記露光制御部からの制御情報に基づいて、該固体撮像素子への入射光量が所定量以上であるか否かを検出する光量検出手段と、該光量検出手段によって、該固体撮像素子への入射光量が所定量以上であることが検出された場合に、リセットパルスの立ち上がりおよび立ち下がりタイミングの少なくとも何れかを、信号読出し期間（水平期間）の一部期間とは別の一部期間で変化させるパルス切り換え手段とをさらに具備している。
【００３１】
上記擬似的な黒レベル（擬似ＯＢレベル）は、本来の黒レベル（ＯＢレベル）と略等しい擬似的なレベルであり、本来の黒レベルと全く同一ではない。従って、映像信号処理については、極力、本来の黒レベルを基準として行うことが望ましい。
【００３２】
固体撮像素子への入射光量が所定量未満である場合には、例えば最大限の露光制御を行うことによって、有効画素部の受光部で発生した電荷が垂直ＣＣＤシフトレジスタおよび水平ＣＣＤシフトレジスタの容量を超えてＯＢ部に溢れ出すことを回避することができる。その結果、本来の黒レベルに基づいて映像信号処理を適正に行うことができる。しかしながら、固体撮像素子への入射光量が所定量以上である場合には、最大限の露光制御を行っても、有効画素部の受光部で発生した電荷がＯＢ部に溢れ出してしまい、ＯＢレベルが変動する。
【００３３】
上記構成によれば、光量検出手段にて入射光量が所定量以上であることが検出された場合に、パルス切り換え手段によって、固体撮像素子の信号読出し期間（水平期間）の一部でリセットパルスの立ち上がりおよび立ち下がりタイミングの少なくとも何れかが切り換えられる。これにより、固体撮像素子のＯＢ部に蓄積された電荷が一旦排除され、ＯＢ部から本来の黒レベルと略等しいレベルに対応した信号（擬似ＯＢ信号）が生成される。この擬似ＯＢ信号は、第１クランプ手段によってクランプされる。映像信号処理部では、この第１クランプ手段にてクランプされた、擬似的な黒レベル（擬似ＯＢレベル）の信号を基準として、固体撮像素子の有効画素部から出力される信号が処理される。
【００３４】
従って、入射光量の大小に応じて、映像信号処理を行う際に黒レベルの基準となる信号が生成され、入射光量の変化に対応して、適正な映像信号処理を行うことができる。その結果、特に、最大限の露光制御を行っても回避することができないほど、強烈な光が固体撮像素子に入射され、有効画素部の受光部で生成された電荷がＯＢ部に溢れ出した場合でも、十分とは言えないが、擬似的な黒レベルを基準として映像信号処理を行うことにより、画面が暗く沈む、画面が破綻する等といった最悪の事態を回避することができる。
【００３５】
好ましくは、本発明の固体撮像装置において、露光制御部からの制御情報に基づいて、固体撮像素子への入射光量が所定量以上であるか否かを検出する光量検出手段と、該光量検出手段によって、該固体撮像素子への入射光量が所定量未満であることが検出された場合に、第１クランプ手段からの出力が該映像信号処理部に入力され、該固体撮像素子への入射光量が所定量以上であることが検出された場合に、第２クランプ手段からの出力が該映像信号処理部に入力されるように、該第１クランプ手段と第２クランプ手段との各出力を切り換える出力切り換え手段とを有する。
【００３６】
通常、太陽光等の過剰光が固体撮像素子に入射されると、固体撮像素子の有効画素部で発生した電荷が、本来は光電変換され発生する電荷がない領域であるオプティカルブラック部（ＯＢ部）にも溢れ出し、ＯＢ部で生成されるＯＢレベルが通常動作時から変動する。その結果、ＯＢレベルを光学的な黒レベルの基準として用いることができなくなる。
【００３７】
上記構成によれば、信号読出し期間（水平期間）の一部期間でリセットパルスの立ち上がりおよび立ち下がりタイミングの少なくとも何れかが切り換えられるため、固体撮像素子に太陽光等の過大光が入射されてＯＢ部に電荷が溢れ出した場合でも、ＯＢ部に溢れ出した電荷が一旦排除されて、本来の黒レベル（ＯＢレベル）と略等しいレベルに対応した信号が擬似的に生成される。この擬似的な黒レベル（擬似ＯＢレベル）の信号は、第２クランプ手段によってクランプされる。露光制御部では、この第２クランプ手段にてクランプされた、擬似的な黒レベルの信号を基準として、固体撮像素子の露光が制御される。
【００３８】
従って、過大光が固体撮像素子に入射されて基準となるＯＢレベルが変動した場合でも、そのような変動の影響を受けずに、本来の黒レベルと略等しい擬似的な黒レベルを基準として露光制御を行うことができ、良好な画面表示を行うことができる。また、このような露光制御により、固体撮像素子への入射光量が制御されるので、本来の黒レベルに基づいて処理が行われる映像信号処理についても適正に行うことができる。
【００３９】
光量検出手段にて固体撮像素子への入射光量が所定量未満であると検出された場合には、出力切り換え手段によって、第１クランプ手段からの出力が映像信号処理部に入力される。映像信号処理部では、第１クランプ手段にてクランプされた、本来の黒レベル（ＯＢレベル）の信号に基づいて、映像信号処理を適正に行うことができる。
【００４０】
また、光量検出手段にて固体撮像素子への入射光量が所定量以上であることが検出された場合には、出力切り換え手段によって、第２クランプ手段からの出力が映像信号処理部に入力される。映像信号処理部では、この第２クランプ手段にてクランプされた、擬似的な黒レベル（擬似ＯＢレベル）の信号を基準として、固体撮像素子の有効画素部から出力される信号が処理される。
【００４１】
従って、入射光量の大小に応じて、映像信号処理を行う際に黒レベルの基準となる信号が出力切り換え手段によって切り換えられ、入射光量の変化に対応して、適正な映像信号処理を行うことができる。その結果、特に、最大限の露光制御を行っても回避することができないほど、強烈な光が固体撮像素子に入射され、有効画素部の受光部で生成された電荷がＯＢ部に溢れ出した場合でも、十分とは言えないが、擬似的な黒レベルを基準として映像信号処理を行うことにより、画面が暗く沈む、画面が破綻する等といった最悪の事態を回避することができる。
【００４２】
例えば、リセットパルスの立ち上がりおよび立ち下がりタイミングの少なくとも何れかの変化は、リセットパルスの信号レベルの反転、リセットパルスの一定レベルの保持およびリセットパルスの位相変化の何れかにより為される。これによって、電荷が水平転送部から電荷検出部（変換部）に転送されるタイミングで、固体撮像素子の電荷検出部（変換部）のリセットゲート１１下のポテンシャルが低くなっているため、水平転送部から転送されて漏れ出した電荷をリセットドレインに排出させることができる。
【００４３】
以下、信号読出し期間の一部期間（擬似ＯＢ期間）およびこれとは別の期間（ＯＢ期間）において、リセットパルスを一定レベルの保持する場合について説明する。
【００４４】
本発明の固体撮像装置は、複数の光電変換素子が水平方向および垂直方向に配列され、各光電変換素子に被写体画像に対応する光が入射されて電気信号を出力する有効画素部、および該有効画素部の周辺に複数の光電変換素子が垂直方向に配列され、各光電変換素子には被写体画像に対応する光が遮光されて入射されず、黒レベルに対応する電気信号を出力するオプティカルブラック部を有する固体撮像素子と、該固体撮像素子のオプティカルブラック部から出力される信号をクランプする第１クランプ手段と、該第１クランプ手段にてクランプされた信号のレベルを基準として、該固体撮像素子の有効画素部から出力される信号に対して、映像信号処理を行う映像信号処理部と、固体撮像素子の水平期間の一部でリセットパルスを一定レベルに保持させて、該固体撮像素子に黒レベルと略等しいレベルに対応する信号を生成させ、生成された信号をクランプする第２クランプ手段と、該第２クランプ手段にてクランプされた信号のレベルを基準として、該固体撮像素子の露光量を制御する露光制御部とを有し、そのことにより上記目的が達成される。
【００４５】
通常、太陽光等の過剰光が固体撮像素子に入射されると、固体撮像素子の有効画素部で発生した電荷が、本来は光電変換により発生する電荷がない領域であるオプティカルブラック部（ＯＢ部）にも漏れ出し、ＯＢ部で生成されるＯＢレベルが通常動作時から変動する。その結果、ＯＢレベルを光学的な黒レベルの基準として用いることができなくなる。
【００４６】
上記構成によれば、固体撮像素子の水平期間の一部期間でリセットパルスが一定レベルに保持されるため、固体撮像素子に太陽光等の過大光が入射されてＯＢ部に電荷が溢れ出した場合でも、ＯＢ部に溢れ出した電荷が一旦排除されて、本来の黒レベル（ＯＢレベル）と略等しいレベルに対応した信号（擬似ＯＢ信号）が擬似的に生成される。この擬似ＯＢ信号は、第２クランプ手段によってクランプされる。露光制御部では、この第２クランプ手段にてクランプされた、本来の黒レベルと略等しい擬似ＯＢレベルの信号を基準として、固体撮像素子の露光が制御される。
【００４７】
従って、一般的な固体撮像装置に第２クランプ手段を追加するという比較的簡易な構成と、リセットパルスを一定レベルに保持させるという比較的容易な制御によって、過大光が固体撮像素子に入射されて基準となる黒レベルが変動した場合でも、そのような変動の影響を受けずに、本来の黒レベル（ＯＢレベル）と略等しい擬似的な黒レベル（擬似ＯＢレベル）を基準として適正な露光制御を行うことができ、良好な画面表示を行うことができる。
【００４８】
上述したように、水平期間の一部期間でリセットパルスの立ち上がりおよび立ち下がりタイミングの少なくとも何れかを変化させる場合には、短時間ではあるものの、水平転送部から電荷が電荷検出部に転送されて電荷電圧変換され、出力電圧として出力される時間が生じる。このときに、電荷検出部に水平転送部から過大な電荷が転送されると、溢れ出した電荷によって電荷電圧変換が生じることがある。また、水平期間の一部期間でリセットパルスの立ち上がりおよび立ち下がりタイミングの少なくとも何れかを変化させる場合には、リセットパルスがハイレベルになって電荷検出部のポテンシャルがリセットドレインと等しいポテンシャルにリセットされ、リセットドレインに電荷が排出される時間が短いため、水平転送部から転送された過大な電荷が電荷検出部で電荷電圧変換されると、電荷が完全にリセットドレインに排出されず、電荷が電荷検出部に残ってクランプされるレベルが不安定になるおそれある。
【００４９】
これに対して、水平期間の一部期間でリセットパルスを一定レベルに保持させることによって、水平転送部から電荷が電荷検出部に転送されて電荷電圧変換される時間を無くすことができ、電荷検出部に水平転送部から過大な電荷が転送されても、リセットドレインに電荷を充分に排出させることができる。
【００５０】
また、第１クランプ手段によって、固体撮像素子のＯＢ部から出力される信号（ＯＢ信号）がクランプされる。映像信号処理部では、この第１クランプ手段にてクランプされた信号レベル（ＯＢレベル）を基準として、固体撮像素子の有効画素部から出力される信号が処理される。このとき、以上のような露光制御により、固体撮像素子への入射光量が制御されているので、本来の黒レベル（ＯＢレベル）に基づいて処理が行われる映像信号処理についても、適正に行うことができる。
【００５１】
また、好ましくは、前記露光制御部からの制御情報に基づいて、前記固体撮像素子への入射光量が所定量以上であるか否かを検出する光量検出手段と、該光量検出手段によって、該固体撮像素子への入射光量が所定量以上であることが検出された場合に、リセットパルスを、固体撮像素子の水平期間の他の一部（別の期間；ＯＢ期間）で一定レベルに保持させるパルス切り換え手段とをさらに有する。
【００５２】
上記擬似的な黒レベル（擬似ＯＢレベル）は、本来の黒レベル（ＯＢレベル）と略等しい擬似的なレベルであり、本来の黒レベルと全く同一ではない。従って、映像信号処理については、極力、本来の黒レベルを基準として行うことが望ましい。
【００５３】
固体撮像素子への入射光量が所定量未満である場合には、例えば最大限の露光制御を行うことによって、有効画素部の受光部で発生した電荷が垂直ＣＣＤシフトレジスタおよび水平ＣＣＤシフトレジスタの容量を超えてＯＢ部に溢れ出すことを回避することができる。その結果、本来の黒レベルに基づいて映像信号処理を適正に行うことができる。しかしながら、固体撮像素子への入射光量が所定量以上である場合には、最大限の露光制御を行っても、有効画素部の受光部で発生した電荷がＯＢ部に溢れ出し、ＯＢレベルが変動する。
【００５４】
上記構成によれば、光量検出手段にて入射光量が所定量以上であることが検出された場合に、パルス切り換え手段によって、固体撮像素子の水平期間の一部期間でリセットパルスが切り換えられて一定レベルに保持される。これにより、固体撮像素子のＯＢ部に蓄積された電荷が一旦排除され、ＯＢ部から本来の黒レベルと略等しいレベルに対応した信号（擬似ＯＢ信号）が生成される。この擬似ＯＢ信号は、第２クランプ手段によってクランプされる。映像信号処理部では、この第１クランプ手段にてクランプされた、擬似的な黒レベル（擬似ＯＢレベル）の信号を基準として、固体撮像素子の有効画素部から出力される信号が処理される。
【００５５】
従って、入射光量の大小に応じて、映像信号処理を行う際に黒レベルの基準となる信号が生成され、入射光量の変化に対応して、適正な映像信号処理を行うことができる。その結果、特に、最大限の露光制御を行っても回避することができないほど、強烈な光が固体撮像素子に入射され、有効画素部の受光部で生成された電荷がＯＢ部に溢れ出した場合でも、十分とは言えないが、擬似的な黒レベルを基準として映像信号処理を行うことにより、画面が暗く沈む、画面が破綻する等といった最悪の事態を回避することができる。
【００５６】
また、好ましくは、前記第１クランプ手段にてクランプされた信号のレベルと、前記第２クランプ手段にてクランプされた信号のレベルとのレベル差を検出するレベル差検出手段をさらに有する。
【００５７】
固体撮像素子への入射光量を検出する場合には、第２クランプ手段にてクランプされた信号のレベルを基準として、例えば検波回路などによって固体撮像素子からの出力電圧を検出し、その出力電圧を基に、出力電圧が大きいときには露光制御（電子シャッター等の制御）を行った後、光量検出手段にて電子シャッター速度を検出して、その速度値によって入射光量の大小を判断することができる。この場合、光量検出に時間がかかるため、その間に画像みだれ等が発生することが考えられる。
【００５８】
上記構成によれば、第１クランプ手段にてクランプされた信号のレベルと第２クランプ手段にてクランプされた信号のレベルとのレベル差を検出することによって、レベル差が所定値以上あれば不具合が発生しており、レベル差が所定値未満の場合（またはレベル差がない場合）には不具合が生じていないと判断することができるため、光量検出手段などを用いなくても不具合の有無を判断することができ、処理時間を短くすることができる。
【００５９】
また、好ましくは、前記レベル差検出手段によって、該第１クランプ手段にてクランプされた信号のレベルと該第２クランプ手段にてクランプされた信号のレベルとのレベル差が所定量以上であることが検出された場合に、リセットパルスを、固体撮像素子の水平期間の他の一部期間で一定レベルに保持させるパルス切り換え手段とをさらに有する。
【００６０】
上記擬似的な黒レベル（擬似ＯＢレベル）は、本来の黒レベル（ＯＢレベル）と略等しい擬似的なレベルであり、本来の黒レベルと全く同一ではない。従って、映像信号処理については、極力、本来の黒レベルを基準として行うことが望ましい。
【００６１】
上記構成によれば、光量検出手段にて入射光量を検出する代りに、レベル差検出手段を用いて第１クランプ手段にてクランプされた信号のレベルと第２クランプ手段にてクランプされた信号のレベルとのレベル差を検出し、そのレベル差が所定量未満である場合には、例えば最大限の露光制御を行うことによって、有効画素部の受光部で発生した電荷が垂直ＣＣＤシフトレジスタおよび水平ＣＣＤシフトレジスタの容量を超えてＯＢ部に溢れ出しすことを回避することができる。その結果、本来の黒レベルに基づいて映像信号処理を適正に行うことができる。しかしながら、レベル差が所定量以上である場合には、最大限の露光制御を行っても、有効画素部の受光部で発生した電荷がＯＢ部に溢れ出し、ＯＢレベルが変動する。
【００６２】
よって、レベル差が所定量以上であることが検出された場合には、パルス切り換え手段によって、固体撮像素子の水平期間の一部期間でリセットパルスが切り換えられて一定レベルに保持される。これにより、固体撮像素子のＯＢ部に蓄積された電荷が一旦排除され、ＯＢ部から本来の黒レベルと略等しいレベルに対応した信号（擬似ＯＢ信号）が生成される。この擬似ＯＢ信号は、第１クランプ手段によってクランプされる。映像信号処理部では、この第１クランプ手段にてクランプされた、擬似的な黒レベル（擬似ＯＢレベル）の信号を基準として、固体撮像素子の有効画素部から出力される信号が処理される。
【００６３】
従って、第１クランプ手段にてクランプされた信号のレベルと第２クランプ手段にてクランプされた信号のレベルとのレベル差によって不具合が生じているか否かを判断し、その結果に応じて、映像信号処理を行う際に黒レベルの基準となる信号が生成され、適正な映像信号処理を行うことができる。その結果、特に、最大限の露光制御を行っても回避することができないほど、強烈な光が固体撮像素子に入射され、有効画素部の受光部で生成された電荷がＯＢ部に溢れ出した場合でも、十分とは言えないが、擬似的な黒レベルを基準として映像信号処理を行うことにより、画面が暗く沈む、画面が破綻する等といった最悪の事態を回避することができる。
【００６４】
また、好ましくは、前記露光制御部からの制御情報に基づいて、前記固体撮像素子への入射光量が所定量以上であるか否かを検出する光量検出手段と、該レベル差検出手段によって、前記第１クランプ手段にてクランプされた信号のレベルと前記第２クランプ手段にてクランプされた信号のレベルとのレベル差が所定量以上であることが検出され、かつ、該光量検出手段によって、該固体撮像素子への入射光量が所定量以上であることが検出された場合、および、該レベル差検出手段によって、該第１クランプ手段にてクランプされた信号のレベルと該第２クランプ手段にてクランプされた信号のレベルとのレベル差が所定量未満であること検出され、かつ、該光量検出手段によって、該固体撮像素子への入射光量が所定量以上であることが検出された場合に、リセットパルスを、固体撮像素子の水平期間の他の一部期間（別の期間）で一定レベルに保持させるパルス切り換え手段とをさらに有する。
【００６５】
第１クランプ手段にてクランプされた信号のレベルと第２クランプ手段にてクランプされた信号のレベルとのレベル差が所定量に近接している場合、第１クランプ手段から出力される正規のＯＢ信号レベルと第２クランプ手段から出力される擬似ＯＢ信号レベルとが全く同じレベルではないために、画面の変化時に違和感が生じることがある。また、レベル差が所定量以上である場合と所定量未満である場合とが繰り返される場合には、第１クランプ手段から出力される正規ＯＢレベルを基準とした映像と第２クランプ手段から出力される擬似ＯＢレベルを基準とした映像とで交互に切り換えられ、フリッカなどの画像不良が発生することが考えられる。
【００６６】
上記構成によれば、第１クランプ手段にてクランプされた信号のレベルと第２クランプ手段にてクランプされた信号のレベルとのレベル差をレベル差検出手段にて検出することによって、レベル差が所定量以上であれば不具合が発生しており、レベル差が所定量未満であれば不具合が発生していないと判断することができると共に、光量検出手段にて入射光量が所定量以上であるか否かを検出することによって、さらに精度良くパルス切り換えを行うことができる。これにより、固体撮像素子に太陽光などの過大光が入射された場合でも、適正に露光を行うことができる。
【００６７】
好ましくは、本発明の固体撮像装置において、レベル差検出手段によって、第１クランプ手段にてクランプされた信号のレベルと第２クランプ手段にてクランプされた信号のレベルとのレベル差が所定量未満であることが検出された場合に、該第１クランプ手段からの出力が映像信号処理部に入力され、該第１クランプ手段にてクランプされた信号のレベルと該第２クランプ手段にてクランプされた信号のレベルとのレベル差が所定量以上であることが検出された場合に、該２クランプ手段からの出力が該映像信号処理部に入力されるように、該第１クランプ手段と第２クランプ手段とを切り換える切り換え手段を有する。
【００６８】
通常、太陽光等の過剰光が固体撮像素子に入射されると、固体撮像素子の有効画素部で発生した電荷が、本来は光電変換により発生する電荷がない領域であるオプティカルブラック部（ＯＢ部）にも溢れ出し、ＯＢ部で生成されるＯＢレベルが通常動作時から変動する。その結果、ＯＢレベルを光学的な黒レベルの基準として用いることができなくなる。
【００６９】
上記構成によれば、固体撮像素子の水平期間の一部期間でリセットパルスが一定レベルに保持されるため、固体撮像素子に太陽光等の過大光が入射されてＯＢ部に電荷が溢れ出した場合でも、ＯＢ部に溢れ出した電荷が一旦排除されて、本来の黒レベル（ＯＢレベル）と略等しいレベルに対応した信号が擬似的に生成される。この擬似的な黒レベル（擬似ＯＢレベル）の信号は、第２クランプ手段によってクランプされる。露光制御部では、この第２クランプ手段にてクランプされた、擬似的な黒レベルの信号を基準として、固体撮像素子の露光が制御される。
【００７０】
従って、過大光が固体撮像素子に入射されて基準となるＯＢレベルが変動した場合でも、そのような変動の影響を受けずに、本来の黒レベルと略等しい擬似的な黒レベルを基準として露光制御を行うことができ、良好な画面表示を行うことができる。また、このような露光制御により、固体撮像素子への入射光量が制御されるので、本来の黒レベルに基づいて処理が行われる映像信号処理についても適正に行うことができる。
【００７１】
また、レベル差検出手段にて、第１クランプ手段にてクランプされた第１信号レベルと第２クランプ手段にてクランプされた第２信号レベルとのレベル差を検出して不具合の有無を判断し、レベル差が所定量未満であると検出された場合には、出力切り換え手段によって、第１クランプ手段からの出力が映像信号処理部に入力される。映像信号処理部では、第１クランプ手段にてクランプされた、本来の黒レベル（ＯＢレベル）の信号に基づいて、映像信号処理を適正に行うことができる。
【００７２】
また、レベル差検出手段にて第１クランプ手段にてクランプされた第１信号レベルと第２クランプ手段にてクランプされた第２信号レベルとのレベル差が所定量以上であることが検出された場合には、出力切り換え手段によって、第２クランプ手段からの出力が映像信号処理部に入力される。映像信号処理部では、この第２クランプ手段にてクランプされた、擬似的な黒レベル（擬似ＯＢレベル）の信号を基準として、固体撮像素子の有効画素部から出力される信号が処理される。
【００７３】
従って、第１クランプ手段にてクランプされた信号のレベルと第２クランプ手段にてクランプされた信号のレベルとのレベル差によって不具合が生じているか否かを判断し、その結果に応じて、映像信号処理を行う際に黒レベルの基準となる信号が生成され、適正な映像信号処理を行うことができる。その結果、特に、最大限の露光制御を行っても回避することができないほど、強烈な光が固体撮像素子に入射され、有効画素部の受光部で生成された電荷がＯＢ部に溢れ出した場合でも、十分とは言えないが、擬似的な黒レベルを基準として映像信号処理を行うことにより、画面が暗く沈む、画面が破綻する等といった最悪の事態を回避することができる。
【００７４】
好ましくは、本発明の固体撮像装置において、第１クランプ手段にてクランプされた信号のレベルと該第２クランプ手段にてクランプされた信号のレベルとのレベル差を検出するレベル差検出手段と、露光制御部からの制御情報に基づいて、固体撮像素子への入射光量が所定量以上であるか否かを検出する光量検出手段と、該レベル差検出手段によって、該第１クランプ手段にてクランプされた信号のレベルと該第２クランプ手段にてクランプされた信号のレベルとのレベル差が所定量未満であることが検出され、かつ、該光量検出手段によって、該固体撮像素子への入射光量が所定量未満であることが検出された場合に該第１クランプ手段からの出力が該映像信号処理部に入力され、該レベル差検出手段によって、該第１クランプ手段にてクランプされた信号のレベルと該第２クランプ手段にてクランプされた信号のレベルとのレベル差が所定量以上であることが検出され、かつ、該光量検出手段によって、該固体撮像素子への入射光量が所定量以上であることが検出された場合、および、該レベル差検出手段によって、該第１クランプ手段にてクランプされた信号のレベルと該第２クランプ手段にてクランプされた信号のレベルとのレベル差が所定量未満であること検出され、かつ、該光量検出手段によって、該固体撮像素子への入射光量が所定量以上であることが検出された場合に、該２クランプ手段からの出力が該映像信号処理部に入力されるように、該第１クランプ手段と該第２クランプ手段との各出力を切り換える出力切り換え手段を有する。
【００７５】
第１クランプ手段にてクランプされた信号のレベルと第２クランプ手段にてクランプされた信号のレベルとのレベル差が所定量に近接している場合、第１クランプ手段から出力される正規のＯＢ信号レベルと第２クランプ手段から出力される擬似ＯＢ信号レベルとが全く同じレベルではないために、画面の変化時に違和感が生じることがある。また、レベル差が所定量以上である場合と所定量未満である場合とが繰り返される場合には、画面が第１クランプ手段からの出力を基準とした映像と第２クランプ手段からの出力を基準とした映像とで交互に切り換えられ、フリッカなどの画像不良が発生することが考えられる。
【００７６】
上記構成によれば、第１クランプ手段にてクランプされた信号のレベルと第２クランプ手段にてクランプされた信号のレベルとのレベル差をレベル差検出手段にて検出することによって、レベル差が所定量以上であれば不具合が発生しており、レベル差が所定量未満であれば不具合が発生していないと判断することができると共に、光量検出手段にて入射光量が所定量以上であるか否かを検出することによって、さらに精度良く第１クランプ手段と第２クランプ手段との各出力の切り換えを行うことができる。これにより、固体撮像素子に太陽光などの過大光が入射された場合でも、適正に映像信号処理を行うことができる。
【００７７】
例えば、リセットパルスは、前記水平期間（信号読出し期間）の一部期間または前記水平期間の別の一部期間において、電荷検出部のポテンシャルがリセットドレインと等しいポテンシャルにリセットされる電圧に設定される。これによって、固体撮像素子の電荷検出部（変換部）のポテンシャルがリセットドレインと等しいポテンシャルにリセットされ、水平転送部から転送されて漏れ出した電荷をリセットドレインに完全に排出させることができる。
【００７８】
また、前記水平期間（信号読出し期間）の一部期間は、例えば固体撮像素子においてオプティカルブラック部から信号が出力される期間またはその後に設定され得る。また、前記水平期間（信号読出し期間）の別の一部期間も、例えば固体撮像素子のオプティカルブラック部から信号が出力される期間に設定される。さらに、好ましくは、この別の一部期間は水平期間（信号読出し期間）の一部期間の前に設定されてもよい。
【００７９】
【発明の実施の形態】
以下に、本発明の実施の形態１〜１０について、図面に基づいて説明する。
（実施形態１）
図１は、本実施形態１の固体撮像装置の構成を示すブロック図である。
【００８０】
この固体撮像装置は、図１に示すように、固体撮像素子としてのＣＣＤ１と、ＣＤＳ回路２と、ＯＢクランプ回路３と、クランプパルス発生回路４と、擬似ＯＢクランプ回路５と、クランプパルス発生回路６と、映像信号処理部７と、検波回路８と、露光制御部９と、撮像素子駆動手段としてのＣＣＤ駆動回路１０とを有している。これらのＯＢクランプ回路３およびクランプパルス発生回路４により第１クランプ手段が構成される。また、擬似ＯＢクランプ回路５およびクランプパルス発生回路６により第２クランプ手段が構成される。
【００８１】
ＣＣＤ１は、例えばＩＴ型ＣＣＤであり、図示しないレンズを介して入射される被写体画像を撮像する。ＣＣＤ１は、図１６（ａ）および図１６（ｂ）に示す従来のＣＣＤ５２と同様に、基板７１上に、被写体画像に対応する光（被写体画像光）が入射される有効画素部７２が設けられている。この有効画素部７２には、光電変換素子である複数のフォトダイオード７４が垂直方向および水平方向に２次元的に配列されており、被写体画像に対応する電気信号が出力される。また、有効画素部７２の一方の側方には、ＯＢ（オプティカルブラック）部７３が設けられている。ＯＢ部７３には、光電変換素子である複数のフォトダイオード７４が垂直方向および水平方向に配列されており、アルミニウム等の遮光部材７３ａによって覆われている。これによって、被写体画像に対応する光が遮光されて、ＯＢ部７３のフォトダイオード７４には入射されず、ＯＢ部７３のフォトダイオード７４からは光学的な黒の基準として用いられる電気信号（ＯＢ信号）が出力される。
【００８２】
また、ＣＣＤ１には、フォトダイオード７４の各列に沿って設けられた垂直ＣＣＤシフトレジスタ７５と、垂直ＣＣＤシフトレジスタ７５からの電荷を電荷検出部（出力回路）７７に転送する水平ＣＣＤシフトレジスタ７６とが設けられている。フォトダイオード７４によって光電変換され、対応する垂直ＣＣＤシフトレジスタ７５に移動された電荷は、垂直転送クロックφＶ１〜φＶ４に同期して、水平ＣＣＤシフトレジスタ７６の方向に順次転送される。水平ＣＣＤシフトレジスタ７６に転送された電荷は、水平転送クロックφＨ１、φＨ２に同期して、電荷検出部７７に順次転送され、電気信号として外部に出力される。
【００８３】
図２は、本実施形態１の固体撮像装置における水平転送パルス（水平転送クロック）ＦＨ１およびＦＨ２とリセットパルスＦＲとの関係を示す信号波形図であり、図２（ｂ）は図２（ａ）のＡ部分の拡大図であり、ＣＣＤの駆動タイミングを示す信号波形図である。
【００８４】
図示しないレンズを介して入射される被写体画像がＣＣＤ１によって撮像されると、図２（ａ）および図２（ｂ）に示すような水平転送パルスＦＨ１およびＦＨ２と、リセットパルスＦＲによって、ＣＣＤ１からは図２（ｂ）に示すような波形の信号が出力される。この図において、ＣＣＤ出力信号における網目部分は、電気信号として電荷検出部７７で電荷が電圧変換された電圧を示している。
【００８５】
ＣＣＤ１から出力される信号（ＣＣＤ出力）は、ＣＤＳ回路２に入力される。１水平期間におけるＣＣＤ１からの出力信号がＣＤＳ回路２に入力されると、信号に含まれるクロック成分がＣＤＳ回路２にて除去され、ノイズが軽減される。
【００８６】
ＣＤＳ回路２にてクロック成分が除去された信号は、第１クランプ手段としてのＯＢクランプ回路３に入力される。ＯＢクランプ回路３には、クランプパルス発生回路４が接続されており、図２（ａ）および図２（ｂ）に示すように、ＯＢ期間において、クランプパルス発生回路４からクランプパルスＣＰ１が供給されたときに、ＣＤＳ回路５３から入力されたＣＣＤ１のＯＢ部７３からの出力信号（ＯＢ信号）が、ＯＢクランプ回路３によってクランプされて直流レベルに固定される。これによって、光学的な黒の基準として用いられるＯＢレベルの信号が生成される。また、ＣＣＤ１の有効画素部７２からの出力信号は、ＯＢ部７３の信号レベルを基準にクランプされたレベルで出力信号が出力される。
【００８７】
ＯＢクランプ回路３から出力されるＯＢレベルの信号は、映像信号処理部７に入力される。映像信号処理部７では、有効画素部７２からの出力信号に対して、ＯＢクランプ回路３でクランプされたＯＢレベルの信号を基準として、各種処理が行われる。映像信号処理部７には、図１５に示す従来の固体撮像装置と同様に、ＡＧＣ回路が設けられており、ＡＧＣ回路では、ＯＢクランプ回路３から入力される信号の強弱に応じて、利得（ゲイン）が制御される。ＡＧＣ回路からの出力信号は補正処理回路に入力され、補正処理回路からはガンマ補正された信号が出力される。補正処理回路からの出力信号はペデスタルクランプ回路に入力され、ペデスタルクランプ回路では入力された信号がペデスタルレベルにクランプされる。ペデスタルクランプ回路からの出力信号は駆動回路に入力され、駆動回路からは、テレビモニタ等の表示装置に適応した映像信号が、ビデオ信号として出力される。
【００８８】
また、ＣＤＳ回路２によってクロック成分が除去された信号は、第２クランプ手段としての擬似ＯＢクランプ回路５にも入力される。
【００８９】
図２（ａ）および図２（ｂ）に示すように、ＣＣＤ１の水平期間の一部（擬似ＯＢ期間）で、水平転送パルスＦＨ１の立ち上がりに対して、リセットパルスＦＲの立ち上がりおよび立ち下がりタイミングの少なくとも何れかを変化、ここではリセットパルスＦＲの信号レベルを反転（または位相を進めたり遅らせたりして変化）させ、ＯＢ部７３に溢れ出した電荷を全てリセットドレインＲＤに排出させる。擬似ＯＢクランプ回路５からＣＣＤ駆動回路１０には、リセットパルスＦＲの信号レベルを反転させるような制御信号は出力されない。リセットパルスＦＲの信号レベルを反転させる制御をＣＣＤ１に対して行うのは例えばＣＣＤ駆動回路１０である。これによって、黒レベルと略等しいレベルに対応した擬似的な信号（擬似ＯＢ信号）が生成されてＣＣＤ１から出力される。
【００９０】
擬似ＯＢクランプ回路５には、クランプパルス発生回路６が接続されており、擬似ＯＢ期間において、クランプパルス発生回路６からクランプパルスＣＰ２が供給されたときに、上記擬似ＯＢ信号が、擬似ＯＢクランプ回路５によってクランプされて直流レベルに固定される。これによって、本来の黒レベル（ＯＢレベル）と略等しい擬似ＯＢレベルの信号が生成される。
【００９１】
図３（ａ）は、本実施形態１の固体撮像装置におけるＣＣＤの駆動タイミングを示す信号波形図であり、図３（ｂ）は、ＣＣＤの水平転送電荷のポテンシャルを示す模式図である。なお、この図において、ＣＣＤ出力信号における網目部分は転送電荷量を示している。
【００９２】
図３（ａ）および図３（ｂ）において、有効画素部７２からの信号が出力される有効映像信号期間では、時刻ｔ１において、水平転送パルスＦＨ１がハイレベル、水平転送パルスＦＨ２がローレベルとなり、水平ＣＣＤシフトレジスタ７６において出力ゲートＯＧの方向に電荷が転送される。また、リセットゲート１１にハイレベル（ａレベル）のリセットパルスＦＲが加えられ、変換部１２のポテンシャルがリセットドレインＲＤと等しいポテンシャルにリセットされる。
【００９３】
時刻ｔ２では、リセットパルスＦＲがローレベル（ｂレベル）となり、リセットゲート１１下のポテンシャルは低く（浅く）なるが、変換部１２のポテンシャルは上記時刻ｔ１でのポテンシャルと同じレベルである。時刻ｔ１と時刻ｔ２とにおいては、リセットパルスＦＲの誘導によって、このようにリセットゲート１１下のポテンシャルに差が生じる。
【００９４】
時刻ｔ３では、水平転送パルスＦＨ１がローレベル、水平転送パルスＦＨ２がハイレベルとなり、ＦＨ１が加えられる転送電極下のポテンシャルが低い（浅い）レベルに、ＦＨ２が加えられる転送電極下のポテンシャルが高い（深い）レベルに遷移する。ＦＨ１が加えられる転送電極下のポテンシャルが出力ゲートＯＧ下のポテンシャルよりも低い（浅い）なり、電荷が変換部１２（図１６（ｂ）の電荷検出部７７）に転送される。このように転送された電荷によって、変換部１２の電位が変化し、この電位変化が信号出力としてＣＣＤ１から読み出される。
【００９５】
次に、擬似ＯＢ期間では、時刻ｔ４において、水平転送パルスＦＨ１がハイレベル、水平転送パルスＦＨ２がローレベルとなり、水平ＣＣＤシフトレジスタ７６において出力ゲートＯＧの方向に電荷が転送される。また、リセットパルスＦＲはローレベル（ｂレベル）のままとなる。
【００９６】
時刻ｔ５では、リセットパルスＦＲがハイレベル（ａレベル）であり、リセットゲート１１下のポテンシャルが高く（深く）なって、変換部１２のポテンシャルがリセットドレインＲＤと等しいポテンシャルにリセットされる。
【００９７】
時刻ｔ６では、水平転送パルスＦＨ１がローレベル、水平転送パルスＦＨ２がハイレベルとなり、水平転送パルスＦＨ１が加えられる転送電極下のポテンシャルが低い（浅く）レベルに、水平転送パルスＦＨ２が加えられる転送電極下のポテンシャルが高い（深い）レベルに遷移する。水平転送パルスＦＨ１が加えられる転送電極下のポテンシャルが出力ゲートＯＧ下のポテンシャルよりも低く（浅く）なり、電荷が変換部１２に転送されるが、リセットゲート１１下のポテンシャルが高く（深く）なっているため、変換部１２に転送された電荷は全てリセットドレインＲＤに排出される。その結果、過大光がＣＣＤ１に入射された場合であっても、擬似ＯＢ期間では、ＯＢ部７３への転送溢れ出す電荷が無い場合と略等しい、擬似ＯＢ信号が得られる。
【００９８】
擬似ＯＢクランプ回路５から出力される擬似ＯＢレベルの信号は、検波回路８に入力され、検波回路８によって検波される。検波回路８から出力される信号に基づいて、露光制御部９から、ＣＣＤ１のアイリスおよび露光を制御するための信号がＣＣＤ駆動回路１０に出力される。ＣＣＤ駆動回路１０では、露光制御部９から出力される信号に基づいて、ＣＣＤ１が駆動される。露光制御部９およびＣＣＤ駆動回路１０では、擬似ＯＢクランプ回路５にてクランプされた信号レベル（擬似ＯＢレベル）を基準として、それぞれの動作が行われる。また、ＣＣＤ１の露光は、例えばＣＣＤ１に備わった電子シャッター機能等を用いて制御される。
【００９９】
以上のように、本実施形態の固体撮像装置では、過大光がＣＣＤ１に入射されて、光学的な黒の基準となるＯＢレベルが変動した場合でも、本来の黒レベルと略等しい擬似的なＯＢレベルによって適正な露光制御を行うことができる。その結果、過大光がＣＣＤ１に入射された場合でも、良好な画面表示を得ることができる。
【０１００】
なお、この擬似ＯＢレベルは、リセットパルスＦＲによる誘導等の影響によって、本来の黒レベル（ＯＢレベル）と全く同一レベルであるとは言えないため、映像信号処理の基準として用いるためには適していない。このため、本実施形態では、露光制御のみを、擬似ＯＢレベルを基準として行っており、映像信号処理は、擬似ＯＢレベルではなく、ＯＢレベルを基準として行っている。このような擬似ＯＢレベルを基準とした露光制御によって、ＣＣＤ１への入射光量が調整されるので、ＯＢレベルに基づいて処理が行われる映像信号処理についても、適正に行うことが可能となる。
（実施形態２）
上記実施形態１では、リセットパルスＦＲの立ち上がりおよび立ち下がりタイミングの少なくとも何れかを変化（その信号レベルを反転または位相変化）させて生成した擬似黒レベル信号を擬似ＯＢクランプ回路５でクランプさせ、この擬似黒レベル信号を基準として露光制御を行う場合（請求項１〜３に対応）であるが、本実施形態２では、これに加えて、入射光量に応じて、映像信号処理部７で信号処理を行う基準の黒レベル信号として、ＯＢクランプ回路３と擬似ＯＢクランプ回路５との各出力を切り換える場合（請求項４に対応）である。
【０１０１】
図４は、本実施形態２の固体撮像装置の構成を示すブロック図である。なお、この図において、実施形態１と同一の機能を有する構成部材については、同一の番号を付してその説明を省略する。
【０１０２】
この固体撮像装置は、図１に示す実施形態１の固体撮像装置の構成に加えて、光量検出部２１と、出力切り換え手段としての信号切り換え部２２とを備えている。
【０１０３】
光量検出部２１では、露光制御部９からの制御情報に従って、ＣＣＤ１への入射光量が検出される。露光制御部９では、ＣＣＤ１からの出力信号レベルが一定となるように、ＣＣＤ１の電子シャッターが制御される。このため、光量検出部２１では、ＣＣＤ１の電子シャッター速度が所定の値以上であるか否かによって、入射光量が所定量以上であるか否かを判断することができる。
【０１０４】
光量検出部２１にて検出された入射光量が所定量未満である場合には、信号切り換え部２２でスイッチが切り換えられて、ＯＢクランプ回路３からの出力が映像信号処理７に入力される。映像信号処理部７では、上記実施形態１と同様に、ＯＢクランプ回路３から出力されるＯＢレベルの信号を基準として、各種信号処理が行われる。
【０１０５】
擬似ＯＢレベルは、本来の黒レベル（本来のＯＢレベル）と擬似的なレベルであり、本来のＯＢレベルと全く同一のレベルではない。従って、映像信号出力は極力、本来のＯＢレベルを基準として行うことが望ましい。そこで、入射光量が所定量未満である場合には、例えば最大限の露光制御を行うことによって、ＯＢ部７３へ電荷が溢れ出しを防ぐことができるため、本来のＯＢレベルを基準として映像信号処理を適正に行うことができる。
【０１０６】
一方、光量検出部２１にて検出された入射光量が所定量以上である場合には、信号切り換え部２２でスイッチが切り換えられて、擬似ＯＢクランプ回路５からの出力が映像信号処理７に入力される。映像信号処理部７では、擬似ＯＢクランプ回路５から出力される擬似ＯＢレベルの信号を基準として、各種信号処理が行われる。
【０１０７】
このように擬似ＯＢレベルを用いる理由は、入射光量が所定量以上の場合には、最大限の露光制御を行っても、なお、ＯＢ部７３に電荷が溢れ出し、ＯＢレベルが変動するからである。
【０１０８】
露光制御部９では、光量検出部２１での検出結果に関らず、上記実施形態１と同様に、擬似ＯＢクランプ回路５にて得られる、本来の黒レベル（本来のＯＢレベル）と略等しい擬似ＯＢレベルを基準として露光制御が行われ、ＣＣＤ駆動回路１０によってＣＣＤ１の電子シャッターが制御される。
【０１０９】
以上のように、本実施形態２の固体撮像装置では、ＣＣＤ１に入射される光量の大小によって、映像信号処理を行う際に光学的な黒の基準となるレベルが、信号切り換え部２２によって切り換えられるので、入射光量の変化に対応して、適正な映像信号処理を行うことができる。その結果、特に、最大限の露光制御を行っても、ＯＢ部への電荷の溢れを回避することができないような強烈な光がＣＣＤ１に入射されても、擬似ＯＢレベルを基準として映像信号処理を行うことができるので、十分とは言えないが、画面が黒く沈む、画面が破綻する等といった最悪の事態を回避することができる。
【０１１０】
なお、本実施形態２では、入射光量に応じて、映像信号処理部７で信号処理を行う基準の黒レベル信号として、ＯＢクランプ回路３と擬似ＯＢクランプ回路５との各出力を切り換える場合について説明したが、入射光量に応じて、露光制御を行う基準の黒レベル信号として、擬似ＯＢクランプ回路５とＯＢクランプ回路３の各出力を切り換える場合についても考えられる。
（実施形態３）
本実施形態３では、上記実施形態１，２に加えて、ＯＢ期間（水平期間の一部期間（擬似ＯＢ期間）とは別の一部期間）において、入射光量が所定量以上のときに、リセットパルスＦＲの立ち上がりおよび立ち下がりタイミングの少なくとも何れかをを変化（例えば信号レベルを反転または位相変化など）させることによって、ＯＢクランプ回路３に擬似黒レベル信号をクランプさせる場合である。
【０１１１】
図５は、本実施形態３の固体撮像装置の構成を示すブロック図である。なお、この図において、上記実施形態１，２と同一の機能を有する構成部材については、同一の番号を付してその説明を省略する。
【０１１２】
この固体撮像装置は、図１に示す実施形態１の固体撮像装置の構成に加えて、光量検出部２１と、パルス切り換え部２３とを備えている。光量検出部２１では、実施形態２と同様に、露光制御部９からの制御情報に従って、ＣＣＤ１への入射光量が検出される。パルス切り換え部２３では、光量検出部２１にて検出された入射光量が所定量以上である場合に、ＣＣＤ１の水平期間の一部（ＯＢ期間）でリセットパルスＦＲの位相が切り換え（または信号レベルを反転）られる。
【０１１３】
図６は、本実施形態の固体撮像装置の駆動タイミングを示す信号波形図である。
【０１１４】
光量検出部２１にて検出された入射光量が所定量未満である場合には、上記実施形態１と同様に、ＯＢ期間にはリセットパルスＦＲの位相が切り換えられず、ＯＢクランプ回路３からクランプパルスＣＰ１によってクランプされた、本来の黒レベル（ＯＢレベル）の信号が出力される。映像信号処理部７では、上記実施形態１と同様に、ＯＢクランプ回路３から出力される本来のＯＢレベルの信号を基準として、各種信号処理が行われる。
【０１１５】
一方、光量検出部２１にて検出された入射光量が所定量以上である場合には、パルス切り換え部２３によって、図６に示すように、ＣＣＤ１の水平期間の一部（ＯＢ期間）で、水平転送パルスＦＨ１の立ち上がりに対して、リセットパルスＦＲの位相が反転され、ＯＢ部７３に溢れ出した電荷が全てリセットドレインＲＤに排出される。これによって、黒レベルと略等しいレベルに対応した、擬似的な信号（擬似ＯＢ信号）が生成されてＣＣＤ１から出力される。ＯＢ期間において、ＯＢクランプ回路３にクランプパルスＣＰ１が供給されたときに、上記擬似ＯＢ信号が、ＯＢクランプ回路３によってクランプされて直流レベルに固定される。これによって、本来の黒レベル（ＯＢレベル）と略等しい擬似ＯＢレベルの信号が生成される。映像信号処理部７では、ＯＢクランプ回路３から出力される擬似ＯＢレベルの信号を基準として、各種処理が行われる。
【０１１６】
露光制御部９では、光量検出部２１での検出結果に関らず、上記実施形態１と同様に、クランプパルスＣＰ２が供給されたときに擬似ＯＢクランプ回路５にてクランプされた、本来の黒レベル（ＯＢレベル）と略等しい擬似ＯＢレベルを基準として露光制御が行われ、ＣＣＤ駆動回路１０によってＣＣＤ１の電子シャッターが制御される。
【０１１７】
以上のように、本実施形態３の固体撮像装置では、ＣＣＤ１に入射される光量の大小によって、映像信号処理を行う際に光学的な黒の基準となるレベルが生成されるので、入射光量の変化に対応して、適正な映像信号処理を行うことができる。その結果、特に、最大限の露光制御を行っても、ＯＢ部への電荷溢れ出しを回避することができないような強烈な光がＣＣＤ１に入射されても、擬似ＯＢレベルを基準として映像信号処理を行うことができるので、十分とは言えないが、画面が黒く沈む、画面が破綻する等といった最悪の事態を回避することができる。
【０１１８】
ところで、上記各実施形態１〜３の固体撮像装置においては、水平期間の一部でリセットパルスの位相を変化させることによって、過大光がＣＣＤ１に入射された場合でも、適正な露光制御が行われる。
【０１１９】
ところが、図３（ａ）に示すように、リセットパルスＦＲの電位レベルが反転させた場合、短時間ではあるが、例えば時刻ｔ７〜時刻ｔ８のように、水平転送部から電荷が電荷検出部（変換部：出力回路）７７に転送されて電荷から電圧に変換され、ＣＣＤ１からの出力電圧として出力されるときに、電荷検出部７７に水平ＣＣＤシフトレジスタ７６から過大な電荷が電荷検出部（出力回路）７７に転送されると、溢れ出した電荷によって電荷電圧変換が行われる。
【０１２０】
さらに、上記水平ＣＣＤシフトレジスタ７６から転送された電荷は、検出部（電荷検出部）１２にて電荷電圧変換され、時刻ｔ８〜時刻ｔ９においてリセットパルスＦＲがハイレベルになってリセットゲート１１にハイレベル（ａレベル）のリセットパルスＦＲが印加され、変換部１２のポテンシャルがリセットドレインＲＤと等しいポテンシャルにリセットされると、リセットドレインＲＤに電荷が排出される。このとき、過大な電荷が転送された場合には、時刻ｔ８〜時刻ｔ９の短時間で完全にリセットドレインＲＤに排出されず、検出部１２に電荷が残る場合があり、クランプされる信号のレベルが不安定になるおそれがある。
【０１２１】
また、上記各実施形態１〜３の固体撮像装置では、第２クランプ手段にてクランプされた信号のレベルを基準として、検波回路８よってＣＣＤ１からの出力電圧を検出し、その出力電圧を基にして出力電圧が大きいときに露光制御（電子シャッター等の制御）を行った後、光量検出部で電子シャッター速度を検出させて、速度値によって光量が所定量以上であるか否かを判断しているため、過大光が入射されて問題が生じているか否かを判断するために処理時間がかかり、その間に画像みだれ等の不具合が発生することが考えられる。
【０１２２】
そこで、以下の各実施形態４〜１０では、以上のような問題を解決することができる固体撮像装置について説明する。
（実施形態４）
上記各実施形態１〜３では、水平期間の一部期間（例えば擬似ＯＢ期間）でリセットパルスの立ち上がりおよび立ち下がりタイミングの少なくとも何れかを変化（信号レベルの反転または位相変化）させた場合であるが、本実施形態４では、水平期間の一部期間（例えば擬似ＯＢ期間）でリセットパルスＦＲを所定の一定レベルに保持する場合である。
【０１２３】
図１は、本実施形態４における固体撮像装置の構成を示すブロック図である。この固体撮像装置は、上記実施形態１と同様の構成であるが、ＣＣＤ駆動回路１０Ａの動作が、擬似ＯＢ期間でリセットパルスＦＲを一定レベルに保持するように出力制御する点で若干異なっている。
【０１２４】
図７（ａ）は、本実施形態４の固体撮像装置における水平転送パルスＦＨ１およびＦＨ２とリセットパルスＦＲとの関係を示す信号波形図であり、図７（ｂ）は、図７（ａ）のＡ部分の拡大図であり、ＣＣＤのタイミングを示す信号波形図である。
【０１２５】
図示しないレンズを介して入射された被写体画像がＣＣＤ１によって撮像されると、図７（ａ）および図７（ｂ）に示すような水平転送パルスＦＨ１およびＦＨ２とリセットパルスＦＲによって、ＣＣＤ１からは図７（ｂ）に示すような波形の信号が出力される。この図において、ＣＣＤ出力信号は、電気信号として電荷検出部７７で電圧変換された電圧を示している。
【０１２６】
ＣＣＤ１から出力される信号は、ＣＤＳ回路２に入力される。１水平期間におけるＣＣＤ１からの出力信号がＣＤＳ回路２に入力されると、信号に含まれるクロック成分がＣＤＳ回路２にて除去され、ノイズが低減される。
【０１２７】
ＣＤＳ回路２にてクロック成分が除去された信号は、第１クランプ手段としてのＯＢクランプ回路３に入力される。ＯＢクランプ回路３には、クランプパルス発生回路４が接続されており、図７（ａ）および図７（ｂ）に示すように、ＯＢ期間において、クランプ発生回路４からクランプパルスＣＰ１が供給されたときに、ＣＤＳ回路５３から入力されたＣＣＤ１のＯＢ部７３からの出力信号（ＯＢ信号）が、ＯＢクランプ回路３によってクランプされて直流レベルに固定される。これによって、光学的な黒の基準として用いられるＯＢレベルの信号が生成される。また、ＣＣＤ１の有効画素部７２からの出力信号は、ＯＢ部７３の信号レベルを基準にクランプされたレベルで出力信号が出力される。
【０１２８】
ＯＢクランプ回路３から出力されるＯＢレベルの信号は、映像信号処理部７に入力される。映像信号処理部７では、有効画素部７２からの出力信号に対して、ＯＢクランプ回路３にてクランプされた信号レベルを基準として、各種信号処理が行われる。映像信号処理部７には、図１５に示す従来の固体撮像装置と同様に、ＡＧＣ回路が設けられており、ＡＧＣ回路では、ＯＢクランプ回路３から入力される信号の強弱に応じて、利得（ゲイン）が制御される。
【０１２９】
ＡＧＣ回路からの出力信号は、補正処理回路に入力され、補正処理回路からはガンマ補正された信号が出力されペデスタルクランプ回路では入力された信号がペデスタルレベルにクランプされる。ペデスタルクランプ回路からの出力信号は駆動回路に入力され、駆動回路５９からは、テレビモニター等の表示装置に適応した映像信号がビデオ信号として出力される。
【０１３０】
また、ＣＤＳ回路２にてクロック成分が除去された信号は、第２クランプ手段としての擬似ＯＢクランプ回路５に入力される。図７（ａ）および図７（ｂ）に示すように、ＣＣＤ１の水平期間の一部（擬似ＯＢ期間）でリセットパルスを一定レベルに保持させる。このときのリセットパルスのレベルは、変換部１２のポテンシャルがリセットドレインＲＤと等しいポテンシャルにリセットされ、水平転送部から転送されて漏れ出した電荷がリセットドレインＲＤに完全に排出されるような電圧に設定される。これによって、擬似ＯＢ部期間に転送された電荷が全てリセットドレインＲＤに排出される。擬似ＯＢクランプ回路５からＣＣＤ駆動回路１０Ａには、リセットパルスＦＲを一定レベルに保持させるような制御信号は出力されない。リセットパルスＦＲの信号レベルを反転させる制御（または位相の変化制御）をＣＣＤ１に対して行うのは例えばＣＣＤ駆動回路１０Ａである。これによって、黒レベルと略等しいレベルに対応した、擬似的な信号（擬似ＯＢ信号）が生成されてＣＣＤ１から出力される。
【０１３１】
擬似ＯＢクランプ回路５には、クランプパルス発生回路６が接続されており、擬似ＯＢ期間において、クランプパルス発生回路６からはクランプパルスＣＰ２が供給されたときに、上記擬似ＯＢ信号が擬似ＯＢクランプ回路５よってクランプされて直流レベルに固定される。これによって、本来の黒レベルと略等しいレベルの信号が生成される。
【０１３２】
図８（ａ）は、本実施形態４の固体撮像装置におけるＣＣＤの駆動タイミングを示す信号波形であり、図８（ｂ）は、ＣＣＤの水平転送電荷のポテンシャルを示す模式図である。なお、この図において、ＣＣＤ出力信号における網目部分は転送電荷量を示している。
【０１３３】
有効画素部７２からの信号が出力される有効映像信号期間では、時刻ｔ１において、水平転送パルスＦＨ１がハイレベル、水平転送パルスＦＨ２がローレベルとなり、水平ＣＣＤシフトレジスタ７６において出力ゲートＯＧの方向に電荷が転送される。また、リセットゲート１１にハイレベル（ａレベル）のリセットパルスＦＲが印加され、変換部１２のポテンシャルがリセットドレインＲＤと等しいポテンシャルにリセットされる。
【０１３４】
時刻ｔ２では、リセットパルスＦＲローレベル（ｂレベル）となり、リセットゲート１１下のポテンシャルは低く（浅く）なるが、変換部１２のポテンシャルは上記時刻ｔ１でのポテンシャルと同じレベルである。時刻ｔ１と時刻ｔ２とにおいては、リセットパルスＦＲの誘導によって、このようにリセットゲート１１下のポテンシャルに差が生じる。
【０１３５】
時刻ｔ３では、水平転送パルスＦＨ１がローレベル、水平転送パルスＦＨ２がハイレベルとなり、水平転送パルスＦＨ１が印加される転送電極下のポテンシャルが低い（浅い）レベルに、水平転送パルスＦＨ２が印加される転送電極下のポテンシャルが高い（深い）レベルに遷移する。水平転送パルスＦＨ１が印加される転送電極下が出力ゲートＯＧ下のポテンシャルよりも低く（浅く）なり、電荷が変換部１２に転送される。このように転送された電荷によって、変換部１２の電位が変化し、この電位変化が信号出力としてＣＣＤ１から読み出される。
【０１３６】
次に、擬似ＯＢ期間では、時刻ｔ４において、水平転送パルスＦＨ１がハイレベル、水平転送パルスＦＨ２がローレベルとなり、水平ＣＣＤシフトレジスタ７６において出力ゲートＯＧの方向に電荷が転送される。また、リセットパルスＦＲがハイレベル（ａレベル）となり、リセットゲート１１のポテンシャルは高く（深く）、変換部１２のポテンシャルがリセットドレインＲＤと等しいポテンシャルにリセットされる。このため、過大な電荷がＯＧゲートを越えて変換部１２に転送されても、全てリセットドレインＲＤに排出されて、電荷が変換部１２にて電圧に変換されることはない。
【０１３７】
これに対して、図３に示した実施形態１の固体撮像装置では、リセットパルスＦＲがローレベル（ｂレベル）となり、リセットゲート１１のポテンシャルは低い（浅い）ため、変換部１２のポテンシャルは上記時刻ｔ２でのポテンシャルと同じレベルであるため、過剰な電荷が溢れ出してＯＧゲートを越えて変換部１２に流れ込んだときに、電荷が電圧に変換されるおそれがある。
【０１３８】
時刻ｔ５では、リセットパルスＦＲは一定レベル（ハイレベル＝ａレベル）に保持されており、リセットゲート１１にハイレベル（ａレベル）のリセットパルスＦＲが印加され、変換部１２のポテンシャルがリセットドレインＲＤと等しいポテンシャルにリセットされている。
【０１３９】
これに対して、図３に示した実施形態１の固体撮像装置では、時刻ｔ４において過大な電荷が溢れ出してＯＧゲートを越えて変換部１２に流れ込んだ場合に、時刻ｔ５〜時刻ｔ６の短時間では過大な電荷がリセットドレインＲＤへ完全に排出されないおそれがある。
【０１４０】
時刻ｔ６では、水平転送パルスＦＨ１がローレベル、水平転送パルスＦＨ２がハイレベルとなり、水平転送パルスＦＨ１が印加される転送電極下のポテンシャルが低い（浅い）レベルに、水平転送パルスＦＨ２が印加される転送電極下のポテンシャルが高い（深い）レベルに遷移する。水平転送パルスＦＨ１が印加される転送電極下が出力ゲートＯＧ下のポテンシャルよりも低く（浅く）なり、電荷が変換部１２に転送されるが、リセットゲート１１下のポテンシャルは低（浅）くなっているので、変換部１２に転送された電荷は全てリセットドレインＲＤに排出される。その結果、過大光がＣＣＤ１に入射された場合であっても、擬似ＯＢ期間では、ＯＢ部７３への転送電荷がない場合と略等しい、擬似ＯＢ信号が得られる。
【０１４１】
擬似ＯＢクランプ回路５から出力される擬似ＯＢレベルの信号は、検波回路８に入力され、検波回路８によって検波される。検波回路８から出力される信号に基づいて、露光制御部９からＣＣＤ１のアイリスおよび露光を制御するための信号がＣＣＤ駆動回路１０Ａに出力される。ＣＣＤ駆動回路１０Ａでは、露光制御部９から出力される信号に基づいて、ＣＣＤ１が駆動される。露光制御部９およびＣＣＤ駆動回路１０Ａでは、擬似ＯＢクランプ回路５にてクランプされた信号レベル（擬似ＯＢレベル）を基準として、それぞれの動作が行われる。また、ＣＣＤ１の露光は、例えばＣＣＤ１に備わった電子シャッター機能等を用いて制御される。
【０１４２】
以上のように、本実施形態４の固体撮像装置では、水平期間の一部（例えば擬似ＯＢ期間）でリセットパルスＦＲを一定レベルに保持して電荷排出期間を長く取ることができるため、過大光がＣＣＤ１に入射されて、光学的な黒の基準となるＯＢレベルが変動した場合でも、本来の黒レベルと略等しい疑似的なＯＢレベルによって適正な露光制御を行うことができる。その結果、過大光がＣＣＤ１に入射した場合でも、良好な画面表示を行うことができる。
【０１４３】
なお、この疑似的なＯＢレベルは、リセットパルスＦＲによる誘導等の影響によって、本来の黒レベル（ＯＢレベル）と全く同一レベルであるとは言えないため、映像信号処理の基準として用いるためには適してない。このため、本実施形態４では、露光制御のみを、疑似ＯＢレベルを基準として行っており、映像信号処理は、疑似ＯＢレベルではなくＯＢレベルを基準として行っている。このような擬似ＯＢレベルを基準とした露光制御によって、ＣＣＤ１への入射光量が調整されるので、ＯＢレベルに基づいて処理が行われる映像信号処理についても、適正に行うことが可能となる。
（実施形態５）
本実施形態５では、上記実施形態４に加えて、入射光量が所定量以上のときに、水平期間のＯＢ期間でリセットパルスＦＲを一定レベルに保持することによって、ＯＢクランプ回路３に擬似黒レベル信号をクランプさせる場合である。
【０１４４】
図５は、本実施形態５における固体撮像装置の構成を示すブロック図である。この固体撮像装置は、上記実施形態３と同様の構成であるが、ＯＢ期間のリセットパルスＦＲの動作が若干異なっている。
【０１４５】
この固体撮像装置において、光量検出部２１では、上記実施形態３と同様に制御情報に従ってＣＣＤ１への入射光量が検出される。また、パルス切り換え部２３Ａでは、光量検出部２１にて検出された入射光量が所定量以上の場合に、ＣＣＤ１の水平期間のＯＢ期間内でリセットパルスＦＲがパルス波形から一定レベルの波形に保持されるように切り換えられる。
【０１４６】
図９は、本実施形態の固体撮像装置の駆動タイミングを示す信号波形図である。
【０１４７】
光量検出部２１にて検出された入射光量が所定量未満である場合には、実施形態４と同様に、ＯＢ期間にはリセットパルスＦＲは切り換えられず、ＯＢクランプ回路３からクランプパルスＣＰ１によってクランプされた、本来の黒レベルの信号が出力される。映像信号処理部７では、実施形態４と同様に、ＯＢクランプ回路３から出力される本来のＯＢレベルの信号を基準として、各種処理が行われる。
【０１４８】
一方、光量検出部２１にて検出された入射光量が所定量以上である場合には、パルス切り換え部２３Ａによって、図９に示すように、ＣＣＤ１のＯＢ部からの出力期間でリセットパルスＦＲが一定レベルに保持され、ＯＢ部７３に溢れ出した電荷が全てリセットドレインＲＤに排出される。これによって、黒レベルと略等しいレベルに対応した、擬似的な信号（擬似ＯＢ信号）が生成されてＣＣＤ１から出力される。ＯＢ期間において、ＯＢクランプ回路３からクランプパルスＣＰ１が供給されたときに、上記擬似ＯＢ信号が、ＯＢクランプ回路３によってクランプされて直流レベルに固定される。これによって、本来の黒レベル（ＯＢレベル）と略等しい擬似ＯＢレベルの信号が生成される。映像信号処理部７では、ＯＢクランプ回路３から出力される擬似ＯＢレベルの信号を基準として、各種信号処理が行われる。
【０１４９】
露光制御部９では、光量検出部２１の検出結果に関わらず、上記実施形態４と同様に、クランプパルスＣＰ２が供給されたときに擬似ＯＢクランプ回路５にてクランプされた、本来の黒レベル（ＯＢレベル）と略等しい擬似ＯＢレベルを基準として露光制御が行われ、ＣＣＤ１駆動回路１０ＡによってＣＣＤ１の電子シャッターが制御される。
【０１５０】
以上のように、本実施形態５の固体撮像装置では、入射光量が所定量以上のときに、水平期間のＯＢ期間でリセットパルスＦＲを一定レベルに保持することによって、ＯＢクランプ回路３に擬似黒レベル信号をクランプさせるため、ＣＣＤ１に入射される光量の大小によって、映像信号処理を行う際に光学的な黒の基準となるレベルが生成される。これによって、入射光量の変化に対応して、適正な映像信号処理を行うことができる。特に、最大限の露光制御を行っても回避することができないような強烈光がＣＣＤ１に入射し、擬似ＯＢレベルを基準として映像信号処理を行うことができるので、十分とは言えないが画面が黒く沈む、画面が破綻する等の最悪の事態を回避することができる。
【０１５１】
（実施形態６）
本実施形態６では、上記実施形態１または４に加えて、水平帰線レベル信号を基準にして、ＯＢクランプ回路３から出力される信号レベルと、擬似ＯＢクランプ回路５から出力される信号レベルとのレベル差を検出することによりＣＣＤ１に対する過大光照射の有無を検出し、これに応じて露光制御を行う場合である。
【０１５２】
図１０は、本実施形態６の固体撮像装置の構成を示すブロック図である。なお、この図において、上記実施形態１，４と同一の機能を有する構成部材については、同一の番号を付してその説明を省略する。
【０１５３】
この固体撮像装置は、図１に示す実施形態１または４の固体撮像装置の構成に加えて、入射光量に無関係の水平帰線期間の水平帰線レベル信号をクランプする水平帰線クランプ回路２４とクランプパルス発生回路２５とを備えている。
【０１５４】
図９に示すように、水平帰線期間において、クランプパルス発生回路２５からクランプパルスＣＰ３が発生されると、水平帰線クランプ回路２４によって、ＣＣＤ１において入射される光量などに影響されない水平帰線レベル信号がクランプされる。
【０１５５】
一方、水平期間においては、クランプパルス発生回路４から出力されるＣＰ１パルスによってＯＢクランプ回路３にてＯＢレベル信号がクランプされ、クランプパルス発生回路６から出力されるＣＰ２パルスによって擬似ＯＢクランプ回路６にて擬似ＯＢレベル信号がクランプされる。
【０１５６】
レベル差検出手段としての検波回路８Ａは、水平帰線クランプ回路２４から出力された水平帰線レベル信号を基準にして、第１クランプ手段としてのＯＢクランプ回路３から出力される信号（第１信号）のレベルと、第２クランプ手段としての擬似ＯＢクランプ回路５から出力される信号（第２信号）のレベルとのレベル差を検出する。
【０１５７】
このように、ＯＢクランプ回路３から出力される第１信号のレベルと擬似ＯＢクランプ回路５から出力される第２信号のレベルとのレベル差を検出することによって、レベル差が所定値以上あれば過大光の照射などによって不具合が発生しており、レベル差が所定値未満であれば不具合が発生していないと即座に判断することができるため、処理時間を短縮することができる。
（実施形態７）
本実施形態７では、上記実施形態６に加えて、上記レベル差が所定量以上である場合に過大光照射であると判断して、ＣＣＤ１の水平期間内のＯＢ期間内でリセットパルスＦＲが一定レベルに保持されるように切り換える場合である。
【０１５８】
図１１は、本実施形態７の固体撮像装置の構成を示すブロック図である。なお、この図において、上記実施形態６と同一の機能を有する構成部材については、同一の番号を付してその説明を省略する。
【０１５９】
この固体撮像装置は、上記実施形態２，３の固体撮像装置の光量検出部２１の代りに、実施形態６と同様の水平帰線クランプ回路２４およびクランプパルス発生回路２５を備えている。
【０１６０】
この固体撮像装置では、実施形態５の固体撮像装置と同様に、水平帰線期間において、クランプパルス発生回路２５からクランプパルスＣＰ３が発生されると、水平帰線クランプ回路２４によって、ＣＣＤに入射される光量などに影響されない水平帰線レベル信号がクランプされる。
【０１６１】
一方、水平期間においては、クランプパルス発生回路４から出力されるＣＰ１パルスによってＯＢクランプ回路３にてＯＢレベル信号がクランプされ、クランプパルス発生回路６から出力されるＣＰ２パルスによって擬似ＯＢクランプ回路５にて擬似ＯＢレベル信号がクランプされる。
【０１６２】
検波回路８Ａは、水平帰線クランプ回路２４から出力された水平帰線レベル信号を基準にして、第１クランプ手段としてのＯＢクランプ回路３から出力される信号（第１信号）のレベルと、第２クランプ手段としての擬似ＯＢクランプ回路５から出力される信号（第２信号）のレベルとのレベル差を検出する。
【０１６３】
パルス切り換え部２３Ｂでは、検波回路８Ａによって、第１信号のレベルと第２信号のレベルとのレベル差が所定量以上であることが検出された場合に、ＣＣＤ１の水平期間内のＯＢ期間内でリセットパルスＦＲが一定レベルに保持されるように、リセットパルスＦＲが切り換えられる。
【０１６４】
検波回路８Ａにおいて、ＯＢクランプ回路３から出力される第１信号のレベルと擬似ＯＢクランプ回路５から出力される第２信号のレベルとのレベル差が所定量未満であることが検出された場合には、上記実施形態５と同様に、ＯＢ期間にはリセットパルスＦＲは切り換えられず、ＯＢクランプ回路３からクランプパルスＣＰ１によってクランプされた、本来の黒レベルの信号が出力される。映像信号処理部７では、実施形態４と同様に、ＯＢクランプ回路３から出力される本来のＯＢレベルの信号を基準として、各種信号処理が行われる。
【０１６５】
また、検波回路８Ａにおいて、ＯＢクランプ回路３から出力される第１信号のレベルと擬似ＯＢクランプ回路５から出力される第２信号のレベルとのレベル差が所定量以上であることが検出された場合には、パルス切り換え部２３Ｂによって、ＣＣＤ１のＯＢ部からの出力期間でリセットパルスが一定レベルに保持され、ＯＢ部７３に溢れ出した電荷が全てリセットドレインＲＤに排出される。これによって、黒レベルと略等しいレベルに対応した、擬似的な信号（擬似ＯＢ信号）が生成されてＣＣＤ１から出力される。ＯＢ期間において、ＯＢクランプ回路３からクランプパルスＣＰ１が供給されたときに、上記擬似ＯＢ信号が、ＯＢクランプ回路３によってクランプされて直流レベルに固定される。これによって、本来の黒レベル（ＯＢレベル）と略等しい擬似ＯＢレベルの信号が生成される。映像信号処理部７では、ＯＢクランプ回路３から出力される擬似ＯＢレベルの信号を基準として、各種信号処理が行われる。
【０１６６】
露光制御部９では、検波回路８Ａの検出結果に関わらず、上記実施形態４と同様に、クランプパルスＣＰ２が供給されたときに擬似ＯＢクランプ回路５にてクランプされた、本来の黒レベル（ＯＢレベル）と略等しい擬似ＯＢレベルを基準として露光制御が行われ、ＣＣＤ１駆動回路１０ＡによってＣＣＤ１の電子シャッターが制御される。
【０１６７】
以上のように、本実施形態７の固体撮像装置では、ＯＢクランプ回路３にてクランプされた信号のレベルと擬似ＯＢクランプ回路５にてクランプされた信号のレベルとのレベル差によって過大光照射の有無を速やかに判断することができ、この判断に従って映像信号処理を行う際に光学的な黒の基準となる一定レベルが生成されるので、入射光量の変化に応じた適正な映像信号処理を行うことができる。特に、最大限の露光制御を行っても回避することができないような強烈光がＣＣＤ１に入射しても、擬似ＯＢレベルを基準として映像信号処理を行うことができるので、十分とは言えないが画面が黒く沈む、画面が破綻する等の最悪の事態を回避することができる。
（実施形態８）
本実施形態８では、上記実施形態７に加えて、ＯＢクランプ回路３にてクランプされた信号のレベルと擬似ＯＢクランプ回路５にてクランプされた信号のレベルとのレベル差の他に、および光量検出部２１にて検出されるＣＣＤ１への入射光量の大小によって映像信号処理を行う際に光学的な黒の基準となるレベルを生成する場合である。
【０１６８】
図１２は、本実施形態８の固体撮像装置の構成を示すブロック図である。なお、この図において、上記実施形態７と同一の機能を有する構成部材については、同一の番号を付してその説明を省略する。
【０１６９】
この固体撮像装置は、上記実施形態５の固体撮像装置と同様の光量検出部２１に加えて、上記実施形態７と同様の水平帰線クランプ回路２４、クランプパルス発生回路２５、検波回路８Ａおよびパルス切り換え部２３Ｂを備えている。これによって、上記実施形態７よりも精度よく、パルス切り換えを行うことができる。
【０１７０】
この固体撮像装置において、光量検出部２１では、上記実施形態５の固体撮像装置と同様に、露光制御部９からの制御情報に従って、ＣＣＤ１への入射光量が検出される。露光制御部９では、ＣＣＤ１からの出力信号レベルが一定となるように、ＣＣＤ１の例えば電子シャッタースピードが制御される。このため、光量検出部２１では、ＣＣＤ１の例えば電子シャッター速度が所定値以上であるか否かによって、入射光量が所定量以上であるか否かを判断することができる。
【０１７１】
また、上記実施形態７の固体撮像装置と同様に、水平帰線期間において、クランプパルス発生回路２５からクランプパルスＣＰ３が発生されると、水平帰線クランプ回路２４によって、ＣＣＤに入射される光量などに影響されない水平帰線レベル信号がクランプされる。
【０１７２】
また、水平期間においては、クランプパルス発生回路４から出力されるＣＰ１パルスによってＯＢクランプ回路３にてＯＢレベル信号がクランプされ、クランプパルス発生回路６から出力されるＣＰ２パルスによって擬似ＯＢクランプ回路５にて擬似ＯＢレベル信号がクランプされる。
【０１７３】
検波回路８Ａは、水平帰線クランプ回路２４から出力された水平帰線レベル信号を基準にして、第１クランプ手段としてのＯＢクランプ回路３から出力される信号（第１信号）のレベルと、第２クランプ手段としての擬似ＯＢクランプ回路から出力される信号（第２信号）のレベルとのレベル差を検出する。
【０１７４】
この検波回路８Ａによって第１信号のレベルと第２信号のレベルとのレベル差が所定量未満であることが検出され、かつ、光量検出部２１によって電子シャッター速度が所定の値未満であることが検出された場合には、上記実施形態５と同様に、パルス切り換え部２３Ｂによって、ＯＢ期間にはリセットパルスＦＲは切り換えられず、ＯＢクランプ回路３からクランプパルスＣＰ１によってクランプされた、本来の黒レベルの信号が出力される。映像信号処理部７では、上記実施形態４と同様に、ＯＢクランプ回路３から出力される本来のＯＢレベルの信号を基準として、各種信号処理が行われる。
【０１７５】
一方、検波回路８Ａによって第１信号のレベルと第２信号のレベルとのレベル差が所定量以上であることが検出され、かつ、光量検出部２１によって電子シャッター速度が所定の値以上であることが検出された場合には、パルス切り換え部２３Ｂによって、ＣＣＤ１のＯＢ部７３からの出力期間でリセットパルスＦＲが一定レベルに保持され、ＯＢ部７３に溢れ出した電荷が全てリセットドレインＲＤに排出される。これによって、黒レベルと略等しいレベルに応じた擬似的な信号（擬似ＯＢ信号）が生成されてＣＣＤ１から出力される。ＯＢ期間において、クランプパルス発生回路４からクランプパルスＣＰ１が供給されたときに、上記擬似ＯＢ信号が、ＯＢクランプ回路３によってクランプされて直流レベルに固定される。これによって、本来の黒レベル（ＯＢレベル）と略等しい擬似ＯＢレベルの信号が生成される。映像信号処理部７では、ＯＢクランプ回路３から出力される擬似ＯＢレベルの信号を基準として、各種信号処理が行われる。
【０１７６】
露光制御部９では、検波回路８Ａの検出結果に関わらず、上記実施形態４と同様に、クランプパルスＣＰ２が供給されたときに擬似ＯＢクランプ回路５にてクランプされた、本来の黒レベル（ＯＢレベル）と略等しい擬似ＯＢレベルを基準として露光制御が行われ、ＣＣＤ１駆動回路１０または１０ＡによってＣＣＤ１の電子シャッター速度が制御される。
【０１７７】
以上のように、本実施形態８の固体撮像装置では、ＯＢクランプ回路３にてクランプされた信号のレベルと擬似ＯＢクランプ回路５にてクランプされた信号のレベルとのレベル差、および光量検出部２１にて検出されるＣＣＤ１への入射光量の大小によって映像信号処理を行う際に光学的な黒の基準となるレベルが生成されるので、入射光量の変化に対応して、より適正な映像信号処理を行うことができる。特に、最大限の露光制御を行っても回避することができないような強烈光がＣＣＤ１に入射し、擬似ＯＢレベルを基準として映像信号処理を行うことができるので、十分とは言えないが画面が黒く沈む、画面が破綻する等の最悪の事態を回避することができる。
（実施形態９）
本実施形態９では、上記実施形態６に加えて、ＯＢクランプ回路３でクランプされた第１信号のレベルと擬似クランプ回路５でクランプされた第２信号のレベルとのレベル差によってＣＣＤ１に所定以上の強烈光が照射されているかどうかを検波回路８Ａにて検出することができ、これに基づいて、映像信号処理を行う際の光学的な黒レベルの基準となるレベルとして、信号切り換え部２２ＡによってＯＢクランプ回路３と擬似ＯＢクランプ回路５の各出力を切り換える場合である。
【０１７８】
図１３は、本実施形態９の固体撮像装置の構成を示すブロック図である。なお、この図において、上記実施形態６と同一の機能を有する構成部材については、同一の番号を付してその説明を省略する。
【０１７９】
この固体撮像装置は、図１０に示す実施形態６の固体撮像装置の構成に加えて、出力切り換え手段としての信号切り換え部２２Ａを備えている。
【０１８０】
この固体撮像装置においては、上記実施形態６の固体撮像装置と同様に、水平帰線期間において、クランプパルス発生回路２５からクランプパルスＣＰ３が発生されると、水平帰線クランプ回路２４によって、ＣＣＤ１に入射される光量などに影響されない水平帰線レベル信号がクランプされる。
【０１８１】
また、水平期間においては、クランプパルス発生回路４から出力されるＣＰ１パルスによってＯＢクランプ回路３にてＯＢレベル信号がクランプされ、クランプパルス発生回路６から出力されるＣＰ２パルスによって擬似ＯＢクランプ回路５にて擬似ＯＢレベル信号がクランプされる。
【０１８２】
レベル差検出手段としての検波回路８Ａは、水平帰線クランプ回路２４から出力された水平帰線レベル信号を基準にして、第１クランプ手段としてのＯＢクランプ回路３から出力される信号（第１信号）のレベルと、第２クランプ手段としての擬似ＯＢクランプ回路５から出力される信号（第２信号）のレベルとのレベル差を検出する。
【０１８３】
検波回路８Ａによって第１信号のレベルと第２信号のレベルとのレベル差が所定量未満であることが検出された場合には、信号切り換え部２２Ａでスイッチが切り換えられて、ＯＢクランプ回路３からの出力が映像信号処理部７に入力される。映像信号処理部７では、上記実施形態４と同様に、ＯＢクランプ回路３から出力されるＯＢレベルの信号を基準として、各種信号処理が行われる。
【０１８４】
擬似ＯＢレベルは、本来の黒レベル（本来のＯＢレベル）と擬似的なレベルであり、本来のＯＢレベルと全く同じレベルではない。従って、映像信号出力は極力、本来のＯＢレベルを基準として行うことが望ましい。そこで、レベル差が所定量未満である場合には、不具合（ＣＣＤ１に対する過大入射光量時）が生じていないものと判断して、本来のＯＢレベルを基準として映像信号処理を行う。
【０１８５】
一方、検波回路８Ａによって第１信号のレベルと第２信号のレベルとのレベル差が所定量以上であることが検出された場合には、信号切り換え部２２Ａでスイッチが切り換えられて、疑似ＯＢクランプ回路５からの出力が映像信号処理部７に入力される。映像信号処理部７では、擬似ＯＢクランプ回路５から出力される擬似ＯＢレベルを基準として、各信号処理が行われる。
【０１８６】
このように、擬似ＯＢレベルを用いる理由は、ＯＢクランプ回路３でクランプされた第１信号のレベルと擬似ＯＢクランプ回路５でクランプされた第２信号のレベルとでレベル差が所定値以上であると確認された場合には、ＯＢ部７３に電荷が溢れ出してＯＢレベルが変動するからである。レベル差が所定値以上であるということは、ＣＣＤ１に入射される光量が多いためにリセットドレインで充分に電荷が排出しきれない。
【０１８７】
以上のように、本実施形態９の固体撮像装置では、ＯＢクランプ回路３でクランプされた第１信号のレベルと擬似クランプ回路５でクランプされた第２信号のレベルとのレベル差によって不具合が生じているか否かを速やかに判断することができ、この判断に従って、映像信号処理を行う際の光学的な黒レベルの基準となるレベルが、信号切り換え部２２Ａによって切り換えられるので、入射光量の変化に応じてその都度、適正な映像信号処理を行うことができる。その結果、強烈光がＣＣＤ１に入射されても、擬似ＯＢレベルを基準として映像信号処理を行うことができるので、十分とは言えないが、画面が破綻する等の最悪の事態を回避することができる。
（実施形態１０）
本実施形態１０では、上記実施形態９に加えて、光量検出部２１によるＣＣＤ１への検出照射光量に基づいて、映像信号処理を行う際の光学的な黒レベルの基準となるレベルとして、出力切り換え部２２ＢによってＯＢクランプ回路３と擬似ＯＢクランプ回路５の各出力を切り換える場合である。なお、光量検出部２１による光量検出は、上記実施形態９の検波回路８Ａによる検出情報に基づいて検出される。
【０１８８】
図１４は、本実施形態１０の固体撮像装置の構成を示すブロック図である。なお、この図において、上記実施形態９と同一の機能を有する構成部材については、同一の番号を付してその説明を省略する。
【０１８９】
この固体撮像装置は、図１３に示す実施形態９の固体撮像装置の構成に加えて光量検出部２１を備え、光量検出部２１からの検出出力に応じて信号切り換え部２２Ｂを切り換える。これによって、上記実施形態９よりも精度よく、ＯＢクランプ回路３または擬似ＯＢクランプ回路５と、映像信号処理部７との接続を行うことができる。
【０１９０】
この固体撮像装置において、光量検出部２１では、露光制御部９からの制御情報に従って、ＣＣＤ１への入射光量が検出される。露光制御部９では、ＣＣＤ１からの出力信号レベルが一定となるように、ＣＣＤ１の電子シャッターが駆動制御（シャッター速度）される。このため、光量検出部２１では、ＣＣＤ１の電子シャッター速度が所定の値以上であるか否かによって、入射光量が所定量以上であるか否かを判断することができる。
【０１９１】
また、上記実施形態９の固体撮像装置と同様に、水平帰線期間において、クランプパルス発生回路２５からクランプパルスＣＰ３が発生されると、水平帰線クランプ回路２４によって、ＣＣＤに入射される光量などに影響されない、水平帰線レベル信号がクランプされる。
【０１９２】
また、水平期間においては、クランプパルス発生回路４から出力されるＣＰ１パルスによってＯＢクランプ回路３にてＯＢレベル信号がクランプされ、クランプパルス発生回路６から出力されるＣＰ２パルスによって擬似ＯＢクランプ回路５にて擬似ＯＢレベル信号がクランプされる。
【０１９３】
検波回路８Ａは、水平帰線クランプ回路２４から出力された水平帰線レベル信号を基準にして、第１クランプ手段としてのＯＢクランプ回路３から出力される信号（第１信号）のレベルと、第２クランプ手段としての擬似ＯＢクランプ回路から出力される信号（第２信号）のレベルとのレベル差を検出する。
【０１９４】
検波回路８Ａによって第１信号のレベルと第２信号のレベルとのレベル差が所定量未満であることが検出され、かつ、光量検出部２１によってＣＣＤ１（固体撮像素子）への入射光量が所定量未満であることが検出された場合には、信号切り換え部２２Ｂでスイッチが切り換えられて、ＯＢクランプ回路３からの出力が映像信号処理部７に入力される。映像信号処理部７では、上記実施形態４と同様に、ＯＢクランプ回路３から出力されるＯＢレベルの信号を基準として、各種信号処理が行われる。
【０１９５】
一方、検波回路８Ａによって第１信号のレベルと第２信号のレベルとのレベル差が所定量以上であることが検出され、かつ、光量検出部２１によって固体撮像素子への入射光量が所定量未満であることが検出された場合、および、検波回路８Ａによって第１信号のレベルと第２信号のレベルとのレベル差が所定量未満であることが検出されても、光量検出部２１によって固体撮像素子への入射光量が所定量未満であることが検出された場合には、信号切り換え部２２Ｂでスイッチが切り換えられて、疑似ＯＢクランプ回路５からの出力が映像信号処理部７に入力される。映像信号処理部７では、擬似ＯＢクランプ回路５から出力される擬似ＯＢレベルを基準として、各種信号処理が行われる。
【０１９６】
露光制御部９では、光量検出部２１の検出結果に関わらず、上記実施形態４と同様に、疑似ＯＢクランプ回路５にて得られる本来の黒レベル（ＯＢレベル）と略等しい疑似ＯＢレベルを基準として露光制御が行われて、ＣＣＤ駆動回路１０ＡによってＣＣＤ１の電子シャッタが駆動制御される。
【０１９７】
以上のように、本実施形態１０の固体撮像装置では、ＯＢクランプ回路３にてクランプされた信号のレベルと擬似ＯＢクランプ回路５にてクランプされた信号のレベルとのレベル差、および光量検出部２１にて検出されるＣＣＤ１への入射光量の大小によって映像信号処理を行う際に光学的な黒の基準となるレベルが、信号切り換え部２２Ｂによって切り換えられるので、入射光量の変化に対応して、その都度、適正な映像信号処理を行うことができる。その結果、特に、最大限の露光制御を行っても回避することができないような強烈な光がＣＣＤ１に入射されても、擬似ＯＢレベルを基準として映像信号処理を行うことができるので、十分とは言えないが、画面が黒く沈む、画面が破綻する等といった最悪の事態を回避することができる。
【０１９８】
また、クランプパルス発生回路２５から出力されたＣＰ３パルスによりＯＢクランプ回路２４にてクランプされた水平帰線レベル信号を基準にして、ＯＢクランプ回路３にてクランプされた第１信号レベルと擬似ＯＢクランプ回路５にてクランプされた第２信号レベルとのレベル差のみによって、映像信号処理部７に入力される黒レベル出力を切り換えた場合には、光量対レベル差が極端に急峻な場合に、レベル差が所定量の近辺で変化すると、ＯＢクランプ回路３からの出力が映像信号処理部７に入力されてＯＢクランプレベルを基準にして映像処理が行われる場合と、疑似ＯＢクランプ回路５からの出力が映像信号処理部７に入力されて擬似ＯＢクランプレベルを基準にして映像処理が行われる場合とが繰り返されて画面が変化し、フリッカ等の画像不具合が発生することが考えられる。
【０１９９】
これに対して、本実態形態１０では、水平帰線クランプ回路２４にてクランプされた水平帰線レベル信号を基準にして、ＯＢクランプ回路３にてクランプされた第１信号レベルと擬似ＯＢクランプ回路５にてクランプされた第２信号レベルとのレベル差と、入射光量とによって切り換えスイッチ２２Ｂの切り換えを判断するため、このような画像不具合の発生を抑制することができる。
【０２００】
以上により、本実施形態１〜１０によれば、水平期間の一部期間で水平転送パルスＦＨ１に対して、リセットパルスＦＲの立ち上がりおよび立ち下がりタイミングの少なくとも何れかを変化、ここではリセットパルスＦＲの信号波形を反転させ、黒レベル（ＯＢレベル）と略等しいレベルの擬似ＯＢ信号を生成し、クランプパルス発生回路６からクランプパルスが供給された場合に、擬似ＯＢ信号をクランプする擬似ＯＢクランプ回路５を設けている。過大光がＣＣＤに入射してＯＢ部に転送電荷があふれた場合に、リセットパルスＦＲの波形反転によって、ＯＢ部に溢れ出した電荷がリセットドレインＲＤに排出され、黒レベルと略等しい擬似ＯＢレベルが生成される。この擬似ＯＢレベルを基準として露光制御を行うことにより、従来のようにＯＢレベルの変動による影響を受けることなく、良好な画面表示を行うことができる。したがって、過大光がＣＣＤに入射した場合でも、適正な露光制御を容易に行って、良好な画面表示を得ることができる。
【０２０１】
なお、本発明の固体撮像装置を各種カメラなどの電子情報機器に容易に組み込むことができて、本発明の効果を得ることができる。例えば、図１８に示すように、電子情報機器１００は、操作部１０４をユーザが入力操作することにより、その操作指令に基づいて、本発明の固体撮像装置１０１を用いて被写体画像を外部光として取り入れて電子シャッタを作動させて撮像し、その撮像した画素データを画像データとして各種信号処理を行う。各種信号処理後の画像データに基づいて表示部１０２にて画像表示が為される。各種信号処理後の画像データはメモリ１０３に記憶可能であり、このメモリ１０３に記憶させた画像データを適宜取り出して表示部１０２に表示出力させることもできる。このように、本発明の固体撮像装置１０１を電子情報機器１００に用いた場合にも、過大光が入射した場合にも、適正な露光制御を容易に行って、良好な画面表示を得ることができる本発明の効果を奏するものである。
【０２０２】
【発明の効果】
以上詳述したように、本発明によれば、固体撮像素子の信号読出し期間（水平期間）の一部期間でリセットパルスの立ち上がりおよび立ち下がりタイミングの少なくとも何れかが変化され、本来の黒レベル（ＯＢレベル）と略等しいレベルに対応した擬似黒レベル信号が生成されて、第２クランプ手段によってクランプされる。露光制御部では、この第２クランプ手段にてクランプされた、擬似的な黒レベル（擬似ＯＢレベル）の信号を基準として、固体撮像素子の露光が制御される。
【０２０３】
従って、一般的な固体撮像装置に第２クランプ手段を追加するという比較的簡易な構成と、リセットパルスの立ち上がりおよび立ち下がりタイミングの少なくとも何れかを変化させるという比較的容易な制御によって、過大光が固体撮像素子に入射されて基準となる黒レベルが変動した場合でも、そのような変動の影響を受けずに、本来の黒レベルと略等しい擬似的な黒レベルを基準として適正な露光制御を行うことができ、良好な画面表示を行うことができる。
【０２０４】
また、このような露光制御により、固体撮像素子への入射光量が制御されるので、第１クランプ手段にてクランプされた、本来の黒レベル（ＯＢレベル）に基づいて処理が行われる映像信号処理についても、適正に行うことができる。
【０２０５】
また、本発明によれば、光量検出手段にて入射光量が所定量以上であることが検出された場合に、パルス切り換え手段によって、固体撮像素子の水平期間の別の一部期間でリセットパルスの立ち上がりおよび立ち下がりタイミングの少なくとも何れかが切り換えられ、ＯＢ部から本来の黒レベル（ＯＢレベル）と略等しいレベルに対応した信号が出力されて第１クランプ手段によってクランプされる。映像信号処理部では、この第１クランプ手段にてクランプされた、擬似的な黒レベル（擬似ＯＢレベル）の信号を基準として、固体撮像素子の有効画素部から出力される信号が処理される。
【０２０６】
従って、入射光量の大小に応じて、映像信号処理を行う際に黒レベルの基準となる信号が生成され、入射光量の変化に対応して、適正な映像信号処理を行うことができる。その結果、特に、最大限の露光制御を行っても回避することができないほど、強烈な光が固体撮像素子に入射された場合でも、十分とは言えないが、擬似的な黒レベルを基準として映像信号処理を行うことにより、画面が暗く沈む、画面が破綻する等といった最悪の事態を回避することができる。
【０２０７】
さらに、本発明によれば、固体撮像素子の水平期間の一部期間でリセットパルスの立ち上がりおよび立ち下がりタイミングの少なくとも何れかが変化され、本来の黒レベル（ＯＢレベル）と略等しいレベルに対応した信号が擬似的に生成されて、第２クランプ手段によってクランプされる。露光制御部では、この第２クランプ手段にてクランプされた、擬似的な黒レベル（擬似ＯＢレベル）の信号を基準として、固体撮像素子の露光が制御される。
【０２０８】
従って、過大光が固体撮像素子に入射されて基準となるＯＢレベルが変動した場合でも、そのような変動の影響を受けずに、本来の黒レベルと略等しい擬似的な黒レベルを基準として露光制御を行うことができ、良好な画面表示を行うことができる。
【０２０９】
また、このような露光制御により、固体撮像素子への入射光量が制御されるので、光量検出手段にて入射光量が所定量未満であることが検出された場合には、出力切り換え手段によって、第１クランプ手段からの出力が映像信号処理部に入力される。映像信号処理部では、本来の黒レベル（ＯＢレベル）に基づいて適正に映像信号処理を行うことができる。
【０２１０】
また、光量検出手段にて入射光量が所定量以上であることが検出された場合には、出力切り換え手段によって、第２クランプ手段からの出力が映像信号処理部に入力される。映像信号処理部では、この第２クランプ手段にてクランプされた、擬似的な黒レベル（擬似ＯＢレベル）の信号を基準として、固体撮像素子の有効画素部から出力される信号が処理される。
【０２１１】
従って、入射光量の大小に応じて、映像信号処理を行う際に黒レベルの基準となる信号が出力切り換え手段によって切り換えられ、入射光量の変化に対応して、適正な映像信号処理を行うことができる。その結果、特に、最大限の露光制御を行っても回避することができないほど、強烈な光が固体撮像素子に入射された場合でも、十分とは言えないが、擬似的な黒レベルを基準として映像信号処理を行うことにより、画面が暗く沈む、画面が破綻する等といった最悪の事態を回避することができる。
【０２１２】
さらに、本発明にあっては、固体撮像素子の信号読出し期間（水平期間）の一部期間でリセットパルスが一定レベルに保持され、本来の黒レベル（ＯＢレベル）と略等しいレベルに対応した擬似黒レベル信号が生成されて、第２クランプ手段によってクランプされる。露光制御部では、この第２クランプ手段にてクランプされた擬似的な黒レベル（擬似ＯＢレベル）の信号を基準として、固体撮像素子の露光が制御される。
【０２１３】
このように、水平期間の一部期間でリセットパルスの立ち上がりおよび立ち下がりタイミングの少なくとも何れかを変化させる場合には、短時間ではあるものの、電荷が水平転送部から電荷検出部に転送されて電荷電圧変換され、出力電圧として出力される時間が生じる。このとき、電荷検出部に水平転送部から過大な電荷が転送されて溢れ出すと、この電荷が電荷電圧変換される。また、水平転送部から電荷検出部に転送された過大な電荷はリセットドレインに排出されるが、過大な電荷が転送された場合には、完全にリセットドレインに排出されず、電荷検出部に電荷が残ることがあり、クランプ電圧が不安定となる。
【０２１４】
これに対して、水平期間の一部期間でリセットパルスの立ち上がりおよび立ち下がりタイミングの少なくとも何れかを変化させて、リセットパルスを所定の一定レベル、例えば電荷検出部のポテンシャルがリセットドレインと等しいポテンシャルにリセットされ、水平転送部から転送されて漏れ出した電荷がリセットドレインに完全に排出される電圧レベルに保持させる。これによって、電荷検出部から電荷が出力される時間を無くすと共に、電荷がリセットドレインに排出される時間を長くして、電荷をリセットドレインに完全に排出させることができる。
【０２１５】
従って、一般的な固体撮像素子に第２クランプ手段を追加するという比較的簡易な構成と、リセットパルスを一定レベルに保持させるという比較的安易な制御によって、過大光が固体撮像素子に入射されて基準となる黒レベルが変動した場合でも、そのような変動の影響を受けずに、本来の黒レベルと略等しい擬似的な黒レベルを基準として露光制御を行うことができ、良好な画面表示を行うことができる。
【０２１６】
また、このような露光制御により、固体撮像素子への入射光量が制御できるので、第１クランプ手段にてクランプされた、本来の黒レベル（ＯＢレベル）に基づいて処理が行われる映像処理についても、適正に行うことができる。
【０２１７】
また、本発明によれば、光量検出手段にて入射光量が所定量以上であることが検出された場合に、パルス切り換え手段によって、固体撮像素子の水平期間の一部でリセットパルスが一定レベルに保持され、ＯＢ部から本来の黒レベル（ＯＢレベル）と略等しいレベルに対応した信号が出力されて第１クランプ手段によってクランプされる。映像信号処理部では、この第１クランプ手段にてクランプされた、擬似的な黒レベル（擬似ＯＢレベル）の信号を基準として、固体撮像素子の有効画素部から出力される映像信号が映像信号処理される。
【０２１８】
従って、入射光量の大小に応じて、映像信号処理を行う際に黒レベルの基準となる信号が生成され、入射光量の変化に対応して、適正な映像信号処理を行うことができる。その結果、特に、最大限の露光制御を行っても回避することができないほど、強烈な光が固体撮像素子に入射された場合でも、十分とは言えないが、擬似的な黒レベルを基準として映像信号処理を行うことにより、画面が暗く沈む、画面が破綻する等といった最悪の事態を回避することができる。
【０２１９】
また、本発明によれば、レベル差検出手段にて第１クランプ手段でクランプされた信号のレベルと第２クランプ手段でクランプされた信号のレベルとのレベル差が検出され、そのレベル差が所定量以上であることが検出された場合に、パルス切り換え手段によって、固体撮像素子の水平期間の別の一部期間でリセットパルスが一定レベルに保持され、ＯＢ部から本来の黒レベル（ＯＢレベル）と略等しいレベルに対応した信号が出力されて第１クランプ手段によってクランプされる。映像信号処理部では、この第１クランプ手段にてクランプされた、擬似的な黒レベル（擬似ＯＢレベル）の信号を基準として、固体撮像素子の有効画素部から出力される信号が処理される。
【０２２０】
入射光量を検出するためには、例えば第２クランプ手段にてクランプされた信号のレベルを基準として、例えば検波回路などによって固体撮像素子の出力電圧を検出し、その出力電圧を基に、出力電圧が大きいときには露光制御（電子シャッター等の制御）を行った後、光量検出手段にて電子シャッター速度を検出させ、その速度値で判断することが考えられるが、この処理には時間がかかるため、瞬時に入射光量が所定量以上であるか否かを判断することはできない。
【０２２１】
これに対して、本発明のレベル差検出手段により第１クランプ手段でクランプされた信号のレベルと第２クランプ手段でクランプされた信号のレベルとのレベル差を検出することによって、短時間で不具合の発生を判断できて、パルス切り換えを素早く行うことができる。
【０２２２】
また、レベル差検出手段にて検出されたレベル差と共に、光量検出手段にて検出された固体撮像素子への入射光量を判断基準として用いることによって、さらに精度よく、パルス切り換えを行うことができる。
【０２２３】
さらに、本発明によれば、固体撮像素子の水平期間の一部期間でリセットパルスが一定レベルに保持され、本来の黒レベル（ＯＢレベル）と略等しいレベルに対応した信号が擬似的に生成されて、第２クランプ手段によってクランプされる。露光制御部では、この第２クランプ手段にてクランプされた、擬似的な黒レベル（擬似ＯＢレベル）の信号を基準として、固体撮像素子の露光が制御される。
【０２２４】
従って、過大光が固体撮像素子に入射されて基準となるＯＢレベルが変動した場合でも、そのような変動の影響を受けずに、本来の黒レベルと略等しい擬似的な黒レベルを基準として露光制御を行うことができ、良好な画面表示を行うことができる。
【０２２５】
また、このような露光制御により、固体撮像素子への入射光量が制御されるので、光量検出手段にて入射光量が所定量未満であることが検出された場合には、出力切り換え手段によって、第１クランプ手段からの出力が映像信号処理部に入力される。映像信号処理部では、本来の黒レベル（ＯＢレベル）に基づいて適正に映像信号処理を行うことができる。
【０２２６】
また、光量検出手段にて入射光量が所定量以上であることが検出された場合には、出力切り換え手段によって、第２クランプ手段からの出力が映像信号処理部に入力される。映像信号処理部では、この第２クランプ手段にてクランプされた、擬似的な黒レベル（擬似ＯＢレベル）の信号を基準として、固体撮像素子の有効画素部から出力される信号が処理される。
【０２２７】
従って、入射光量の大小に応じて、映像信号処理を行う際に黒レベルの基準となる信号が出力切り換え手段によって切り換えられ、入射光量の変化に対応して、適正な映像信号処理を行うことができる。その結果、特に、最大限の露光制御を行っても回避することができないほど、強烈な光が固体撮像素子に入射された場合でも、十分とは言えないが、擬似的な黒レベルを基準として映像信号処理を行うことにより、画面が暗く沈む、画面が破綻する等といった最悪の事態を回避することができる。
【０２２８】
さらに、本発明にあっては、レベル差検出手段にて第１クランプ手段でクランプされた信号のレベルと第２クランプ手段でクランプされた信号のレベルとのレベル差を検出することによって、短時間で不具合の発生を判断して、第１クランプ手段と第２クランプ手段との各出力を切り換えて、映像信号処理部に供給される出力信号を切り換えることができる。また、レベル差検出手段にて検出されたレベル差と共に、光量検出手段にて検出された固体撮像素子への入射光量を判断基準として用いることによって、さらに精度よく、各出力信号の切り換えを行うことができる。
【図面の簡単な説明】
【図１】本発明の実施形態１の固体撮像装置の概略構成を示すブロック図である。
【図２】（ａ）は本発明の実施形態１の固体撮像装置における水平転送パルスＦＨ１およびＦＨ２とリセットパルスＦＲとの関係を示す信号波形図であり、（ｂ）は（ａ）のＡ部分におけるＣＣＤの駆動タイミングを示す信号波形図である。
【図３】（ａ）は本発明の実施形態１の固体撮像装置におけるＣＣＤの駆動タイミングを示す信号波形図であり、（ｂ）はＣＣＤの水平転送電荷のポテンシャルを示す模式図である。
【図４】本発明の実施形態２の固体撮像装置の概略構成を示すブロック図である。
【図５】本発明の実施形態３の固体撮像装置の概略構成を示すブロック図である。
【図６】本発明の実施形態３の固体撮像装置における、ＣＣＤの駆動タイミングを示す信号波形図である。
【図７】（ａ）は本発明の実施形態４の固体撮像装置における水平転送パルスＦＨ１およびＦＨ２とリセットパルスＦＲとの関係を示す信号波形図であり、（ｂ）は（ａ）のＡ部分におけるＣＣＤの駆動タイミングを示す信号波形図である。
【図８】（ａ）は本発明の実施形態４の固体撮像装置におけるＣＣＤの駆動タイミングを示す信号波形図であり、（ｂ）はＣＣＤの水平転送電荷のポテンシャルを示す模式図である。
【図９】本発明の実施形態５の固体撮像装置におけるＣＣＤの駆動タイミングを示す信号波形図である。
【図１０】本発明の実施形態６の固体撮像装置の概略構成を示すブロック図である。
【図１１】本発明の実施形態７の固体撮像装置の概略構成を示すブロック図である。
【図１２】本発明の実施形態８の固体撮像装置の概略構成を示すブロック図である。
【図１３】本発明の実施形態９の固体撮像装置の概略構成を示すブロック図である。
【図１４】本発明の実施形態１０の固体撮像装置の概略構成を示すブロック図である。
【図１５】従来の固体撮像装置の概略構成を示すブロック図である。
【図１６】固体撮像装置に備わった固体撮像素子の１チップ分の概略構成を示す模式図である。
【図１７】（ａ）は固体撮像装置が通常動作している時の信号波形図であり、（ｂ）は固体撮像装置に過大光が入射されたときの信号波形図である。
【図１８】本発明の固体撮像装置を電子情報機器に適用させた場合の電子情報機器の基本構成を示すブロック図である。
【符号の説明】
１、５１ ＣＣＤ（固体撮像素子）
２、５３ ＣＤＳ回路
３、５４ ＯＢクランプ回路
４、６、２５ クランプパルス発生回路
５ 擬似ＯＢクランプ回路
７、５５ 映像信号処理部
８、６０ 検波回路
８Ａ  レベル差検出手段
９、６１ 露光制御部
１０、１０Ａ、６２ ＣＣＤ駆動回路（撮像素子駆動手段）
１１ リセットゲート
１２ 変換部
２１ 光量検出部（光量検出手段）
２２ 出力切り換え部
２３，２３Ａ、２３Ｂ パルス切り換え部（パルス切り換え手段）
２４ 水平帰線クランプ回路
５２ レンズ
５６ ＡＧＣ回路
５７ 補正処理回路
５８ ペデスタルクランプ回路
５９ 駆動回路
７１ 基板
７２ 有効画素部
７３ ＯＢ部
７３ａ 遮光部材
７４ フォトダイオード
７５ 垂直ＣＣＤシフトレジスタ
７６ 水平ＣＣＤシフトレジスタ
７７ 電荷検出部
１００  電子情報機器
１０１  固体撮像装置
１０２  表示部
１０３  メモリ
１０４  操作部
【図１】
0004257829.tif 000002
【図２】
0004257829.tif 000003
【図３】
0004257829.tif 000004
【図４】
0004257829.tif 000005
【図５】
0004257829.tif 000006
【図６】
0004257829.tif 000007
【図７】
0004257829.tif 000008
【図８】
0004257829.tif 000009
【図９】
0004257829.tif 000010
【図１０】
0004257829.tif 000011
【図１１】
0004257829.tif 000012
【図１２】
0004257829.tif 000013
【図１３】
0004257829.tif 000014
【図１４】
0004257829.tif 000015
【図１５】
0004257829.tif 000016
【図１６】
0004257829.tif 000017
【図１７】
0004257829.tif 000018
【図１８】
0004257829.tif 000019